(57)【要約】電子ブックとして表示装置上に表示された情報のページフリップアクションを制御する電気機械的情報走査検索装置により電子ブック1000のフリップしているページ1020,1021,022を表示する方法である。走査検索層は、通常のブックと電子ブックとの間のユーザインターフェース差を減少させるために触覚フィードバックを提供する制御装置を備えている。この制御装置におけるセンサおよび制御メカニズムは、ページをフリップする、ページがフリップするレートを制御する、電子ブック中の予め設定された地点にジャンプする等の種々の走査検索動作を制御するために電子ブックを表示するコンピュータによって解釈される一連の電気信号を発生する。【選択図】図１７
2005502963.tif 000002
【特許請求の範囲】
【請求項１】
ブックの左側に静止した左ページおよび可変的なブックの左側の厚さを表示し、
ブックの右側に静止した右ページおよび可変的なブックの右側の厚さを表示し、
ブックの右側から左側へおよびブックの左側から右側への少なくとも一方に同時に移動する少なくとも２つのページを表示し、
電子ブックの中における移動速度を表示するステップを含んでおり、
少なくとも２つのページの数は選択可能なフリップ速度に比例し、
電子ブックの中における移動速度は、選択可能なフリップ速度に比例されている、表示装置上に与えられた電子ブックのフリッピングページの表示方法。
【請求項２】
可変的なブックの右側の厚さおよび可変的なブックの左側の厚さの少なくとも一方は、ブックの右側および左側の一方から消えたページならびにブックの右側および左側の他方に累積したページの少なくとも１つに比例する請求項１記載の表示方法。
【請求項３】
ジャンプカーソルおよびブックマークの少なくとも一方を表示し、
現在右側のページを表示し、
現在左側のページを表示し、
ジャンプ先のページを表示し、
ジャンプ先のページと現在右側のページおよび現在左側のページの少なくとも一方との間のページの集合体を表示し、
ページの集合体の移動方向を表示するステップを含んでおり、
ページの集合体は、ジャンプ先のページと現在右側のページおよび現在左側のページの少なくとも一方との間のページの数に比例する移動するジャンプ厚さを有するように構成された請求項１記載の表示方法。
【請求項４】
同時に移動する少なくとも２つのページは、移動しながら方向転換する請求項１記載の表示方法。
【請求項５】
同時に移動する少なくとも２つのページを表示するステップは、
先行ページ方向を有する先行ページを表示し、
追従ページ方向を有する追従ページを表示するサブステップを含んでおり、
追従ページおよび先行ページの少なくとも１つは、同時に移動する少なくとも２つのページがフリップし続けている最中に方向転換するように構成されている請求項１記載の表示方法。
【請求項６】
同時に移動する少なくとも２つのページを表示するステップは、
左側フリップ方向を有する左側移動ページおよび独立した個々の左ページ方向を有する個々の左側ページのセットを表示し、
左側フリップ方向に等しい右側フリップ方向を有する右側移動ページと独立した個々の右側ページ方向を有する個々の右側ページのセットを表示するサブステップを含んでおり、
独立した個々の右側ページ方向および独立した個々の左側ページ方向の少なくとも１つが反転可能である請求項４記載の表示方法。
【請求項７】
同時に移動する少なくとも２つのページを表示するステップは、
左側フリップ方向を有する左側移動ページのセットを表示し、独立した左側ページグループ方向を有するように構成された左側ページグループを有し、
左側フリップ方向に等しい右側フリップ方向を有する右側移動ページのセットを表示し、独立した右側ページグループ方向を有するように構成された右側ページグループを有するサブステップを含んでおり、
独立した右側ページグループ方向および独立した左側ページグループ方向の少なくとも一方が反転可能である請求項４記載の表示方法。
【請求項８】
同時に移動する少なくとも２つのページを表示するステップは、フリーズされたページおよび複数のフリーズされたページの少なくとも一方を表示するサブステップを含んでいる請求項１記載の表示方法。
【請求項９】
フリーズ解除されたページおよび複数のフリーズ解除されたページの少なくとも一方を表示するステップをさらに含んでいる請求項８記載の表示方法。
【請求項１０】
フリーズ解除されたページおよび複数のフリーズされていないページの少なくとも一方を表示する前記ステップは、
予めフリーズしたフリップ方向と同じ方向にフリーズされていないページをフリップし、
予めフリーズしたフリップ方向と反対の方向に少なくとも１つのフリーズされていないページをフリップし、
予めフリーズしたフリップ方向と同じ方向に複数のフリーズされないページをフリップし、
予めフリーズしたフリップ方向と同じ方向に複数のフリーズされないページの第１の部分をフリップし、予めフリーズしたフリップ方向と反対の方向に複数のフリーズされないページの第２の部分をフリップするサブステップを含んでいる請求項９記載の表示方法。
【請求項１１】
同時に移動する少なくとも２つのページを表示するステップは、
グループとして移動するように構成されたページの集合体の少なくとも１つを表示し、
このグループとは無関係に移動するように構成された追従エッジページおよび先行エッジページの少なくとも一方を表示するサブステップを含んでいる請求項１記載の表示方法。
【請求項１２】
同時に移動する少なくとも２つのページを表示するステップは、
閲覧されるページを選択し、
その閲覧されるページを持ち上げ、
その閲覧されるページを保持し、
その閲覧されるページをフリップするサブステップを含んでおり、
閲覧されるページをフリップする前記ステップは繰返され、少なくとも１つのフリップ方向を含むように構成されている請求項１記載の表示方法。
【請求項１３】
現在右側のページを表示するステップおよび現在左側のページを表示するステップの少なくとも一方は、
閲覧されるページを選択し、
その閲覧されるページを持ち上げ、
その閲覧されるページを保持し、
その閲覧されるページをフリップするサブステップを含んでおり、
閲覧されるページをフリップする前記ステップは繰返され、少なくとも１つのフリップ方向を含むように構成されている請求項３記載の表示方法。
【請求項１４】
グループとして移動するように構成されたページの集合体の少なくとも１つを表示するステップは、
閲覧されるページのセクションを選択し、
その閲覧されるページのセクションを持ち上げ、
その閲覧されるページのセクションを保持し、
その閲覧されるページのセクションをフリップするサブステップを含んでおり、
閲覧されるページのセクションをフリップする前記ステップは繰返され、少なくとも１つのフリップ方向を含むように構成されている請求項１１記載の表示方法。
【請求項１５】
グループとして移動するように構成されたページの集合体の少なくとも１つを表示するステップは、
閲覧される少なくとも１つのページを、グループとして移動するように構成されたページの集合体から選択し、
その閲覧される少なくとも１つのページを保持し、
その閲覧される少なくとも１つのページをフリップするサブステップを含んでおり、
閲覧される少なくとも１つのページをフリップする前記ステップは繰返され、少なくとも１つのフリップ方向を含むように構成されている請求項１１記載の表示方法。
【請求項１６】
現在右側のページを表示するステップおよび現在左側のページを表示するステップの少なくとも一方は、
閲覧されるページを選択し、
その閲覧されるページを持ち上げ、
その閲覧されるページを保持し、
閲覧される少なくとも１つの別のページを選択し、
その閲覧される少なくとも１つの別のページを持ち上げ、
その閲覧される少なくとも１つの別のページを保持し、
ページの集合体を形成するように閲覧されるページおよび閲覧される少なくとも１つの別のページを収集し、
そのページの集合体をフリップするサブステップを含んでおり、
ページの集合体をフリップする前記ステップは繰返され、少なくとも１つのフリップ方向を含むように構成されている請求項３記載の表示方法。
【請求項１７】
閲覧されるページを収集するステップは、
収集されたページのサブセクションを生成し、
その収集されたページのサブセクションを走査検索し、
その収集されたページのサブセクションを収集し、
その収集されたページのサブセクションをジャンプし、
その収集されたページのサブセクションをフリップするサブステップを含んでおり、
収集されたページのサブセクションをフリップする前記ステップは繰返され、少なくとも１つのフリップ方向を含むように構成されている請求項１６記載の表示方法。
【請求項１８】
閲覧されるページを収集するステップは、
収集されたページの別のサブセクションを生成し、
その収集されたページの別のサブセクションを走査検索し、
その収集されたページの別のサブセクションを収集し、
その収集されたページの別のサブセクションをジャンプし、
収集されたページのサブセクションと収集されたページの別のサブセクションとの間のページをフリップするサブステップをさらに含んでおり、
収集されたページのサブセクションと収集されたページの別のサブセクションとの間のページをフリップする前記ステップは繰返され、少なくとも１つのフリップ方向を含むように構成されている請求項１７記載の表示方法。
【請求項１９】
カールされたフリッピングページを表示するステップをさらに含んでおり、
カールされたフリッピングページを表示する前記ステップは、そのカールされたフリッピングページの両面を表示するように構成されている請求項１記載の表示方法。
【請求項２０】
ブックの右側およびブックの左側の一方は、ブックの右側およびブックの左側の他方と平行ではないように構成されている請求項１記載の表示方法。
【請求項２１】
ブックの右側とブックの左側との間の角度は、１８０°より小さい角度および１８０°より大きい角度の一方であるように構成されている請求項２０記載の表示方法。
【発明の詳細な説明】
【技術分野】
【０００１】
本発明は、コンピュータ読出し可能なメモリ中に記憶された文書のような情報を走査検索するためにソフトウェアおよびハードウェアの制御下にコンピュータスクリーン上におけるいくつかの表示方法と結合されて動作することのできるコンピュータ入力装置を含むコンピュータハードウェアおよびソフトウェアシステムに関する。本発明はコンピュータ読出し可能なメモリ中に記憶された文書の走査検索を容易にするため、関与する文書中の項目への迅速なアクセスを可能にするだけでなく、どんな内容が存在するかを迅速に見ることを可能にすると共に文書中の題材の編成もまた可能にする。とくに、本発明は、走査検索プロセスの制御がユーザの指および手に対する不要な応力を伴なわずに高速で正確に行われることができるようにユーザが力および摩擦フィードバックを受けることができるやり方でユーザの指への機械的なインターフェースを提供する機械的走査検索装置に関する。本発明の別の分野は、機械的走査検索装置または別の装置によって行われる仮想本中のフリッピングページの複雑な表示および操作に関する。
【背景技術】
【０００２】
本出願は暫定的な特許出願第 60/318,638号明細書（２００１年９月１３日出願）からの優先権を主張している。本出願は、ここにおいて参考文献とされている米国特許第 5,909,207号明細書、米国特許第 6,064,384号明細書、本出願の別出願である特許出願第 09/571,361号明細書（２０００年５月１５日出願）に、米国特許出願第09/617,043号明細書（２０００年７月１４日出願）、米国特許出願第09/686,902号明細書（２０００年１０月１２日出願）、および米国特許出願第09/686,965号明細書（２００２年１０月１２日出願）に記載されているものに関連したサブジェクトマターを含んでいる。
【０００３】
現在、コンピュータ中に記憶されている文書を見るために主に使用されている方法は、コンピュータモニタスクリーンによってである。１つのスクリーン内に含まれることが可能なものより長く大きい文書のために、文書を上方および下方にスクロールするか、あるいはその文書中の特定の地点にジャンプする（たとえば、スクリーン上に表示されている文書の両端でスクロールバーと結合された“マウス”を使用するか、あるいはハイパーテキストリンクを使用することにより）ユーザ入力装置が提供されている。
【０００４】
しかしながら、本発明で認識されているように、大部分の人々は、本と比較すると、とくに便利なやり方でこれを見出してはいない。それが事実であることは、コンピュータの使用が増加しているにもかかわらず、それに対応した紙の使用量の減少が全く認められないだけでなく、コンピュータ中に便利に記憶されたものは、それを見るために容易にフレキシブルに操作されることが可能な紙に印刷する必要があり、プリントするために必要とされる紙の量が増加していることにより証明されている。ある表面（たとえば、壁）に貼られる１枚の紙上の画像をプリントする場合、あるいはほとんどの可能な状況および場所で読書するために比較的軽量の丈夫なペーパーバック本を持っていることが便利である場合のように、時として、関係のある情報のプリントされたバージョンが必要であり、また、ある読者は机上のデスクトップコンピュータに向かう、あるいは机から離れてノートブックコンピュータを操作することを非常に好ましく思っていることがあるが、それでもやはりその読者は依然として手持ち形式のその文書のプリントされたバージョンの方を好む。これは、デバイスまたはソフトウェアアプリケーションの操作方法を理解するためにソフトウェアマニュアルを含むマニュアルを通読する場合、とくにそうである。皮肉なことに、コンピュータソフトウェアパッケージには通常、軽量のＣＤ−ＲＯＭに容易に記憶されることのできる情報を含む分厚く、重いマニュアルがついてくる。また、時としてマニュアルがＣＤ−ＲＯＭの形態で分配された場合でも、たいてい人々は読み易くするためにそれらをハードコピー形式にプリントアウトする。
【０００５】
本の中のプリントされた題材と相互作用しているとき、難解で複雑なプロセスが関与する。手始めに、本の中の題材はページごとに連続しながら連続した順番で与えられ、また、題材の中の考えはある種の概念的階層で互いに関連しているため、与えられた題材中には階層構造も存在する（題材は章、節、節の小区分等に編成されているので）。本をはじめから終りまで順次読んだ後、人間の知覚系は逐次的にデータ入力し、その後、脳は関係する題材を見た後でその概念的階層を再び生成する。しかしながら、人ははじめから終りまで本を読まない（あるいは関係する題材を入力しない）ことが非常に多い。これは、その人物が（ａ）与えられている題材の概観をつかみたいと望んでいる；（ｂ）彼／彼女にとって面白いものを探し求めている；あるいは（ｃ）その本の一部分だけを読むことに関心がある（たとえば、何かの動作方法を理解するためにマニュアルを読む場合等）ためである。これらの場合、人はその題目の本を走査検索し、その読者にとって特有に興味深い題材を見つけ出す。
【０００６】
走査検索プロセスでは、２つの基本的なことが行われる。最初に、検索する者は、その本の文書の内容がどんなものであるかをちらりと見る。次に、検索者は、検索者が（ａ）後で必要とされたときに、それらを探しに戻れるように、および（ｂ）現在見られている題材と別の題材との間の関係を理解していること（すなわち、関与する階層構造の理解）が可能であるように、重要な項目がどこにあるのかをほぼ認識する。本の文書を走査検索しているとき、検索者は、ページによって与えられた固有の順番でページを非常に素早くめくり、関係する題材の性質、位置および構成をその検索者が理解できるようになるために多くの指の動作が必要とされる。
【０００７】
本を走査検索するプロセスでは、人は以下の動作を行う可能性が高い：
（ａ）人が本の中の題材を見ることを望む詳細なレベルに応じて変化する速度でページをめくる；
（ｂ）関心のある項目の近くの位置にジャンプする；
（ｃ）（ｉ）人は別のページ上の題材を比較対照したいと思うために、
（ii）関心のあるいくつかの項目の近くの位置にジャンプした後、人はそれらの正確な位置を見出したいと思うために、あるいは
（iii）人は、関心のある項目がどこにあるかわからず、それを探している最中であるために、フリップする方向を（前方または後方に）非常に素早く変更する；
（ｄ）人が後で戻ることを望む可能性のある関心のあるいくつかのページの位置をマークする。
【０００８】
全ての動作は、フリップしているページと相互作用する指により非常に迅速に、必要最小限の指および手の動きで行われる。興味深いことに、柔らかく、しなやかなページを有する本／雑誌は扱い難い。これは、堅いページを有する本はほとんど手を動かさずに走査検索されることができるが、ページが柔らかい本を走査検索するにはより多くの指および手の動きが必要とされるためである。
【０００９】
たとえば、スクロールバーと結合されたマウスおよびコンピュータスクリーン上のボタンを使用してコンピュータ中に記憶されている文書を走査検索する現在利用可能な方法において、上述した種々の動作を行うにはさらに多くの手の動きが必要である。また、カーソルをスクリーン上の要求される場所に位置させるために、手または指の微細な制御（スクリーン上でカーソルを移動させるためにマウスでは手の動きが使用されるか否か、あるいはトラックボールの場合も同様に指の動きが使用されるかどうかに応じて）が必要とされる。このプロセスは長時間に及ぶと共に融通のきかないものである。このプロセスに要する時間の長さは、項目間の関係を成立させるために少し前に直面した項目を覚える人間の短期記憶力を酷使し、プロセスの融通性のなさは、気を散らさせ、短期記憶プロセスを妨害し、これは知覚心理学でよく知られている効果である。
【００１０】
本の中の題材はページに編成されているため、それによってもまた、読者が関係する題材の種々の部分をよく覚える能力が高められる。また、通常ワードプロセッサにおいて行われるようにスクリーン上の文書中をスクロールするプロセスでは内容がぼやけて、読むことが不可能であるが、このようなプロセスと違い、読者が本のページをめくってその中の題材から移動したとき、依然、細部でなければ、少なくともその内容の近くを読むことができる。これらの特徴のために、本を走査検索した人物は、その内容、特定の項目の位置および題材の構成をよく理解することができる。
【００１１】
上述した理由のために、人々は依然として、現在利用できる方法を使用してコンピュータスクリーン上に表示されたドキュメントイメージではなく、本を手にもって読みたいと思っている。
【００１２】
米国特許第 5,467,102号明細書（Kuno 氏他）には、２つの表示スクリーンから構成された文書を見るための装置が記載されている。２つの表示スクリーンを使用する目的の１つは、ユーザが文書からの２つの異なったページを表示し、それによってそれら（たとえば、図表およびそれの本文説明等）を並べて読むことができるようにすることを可能にすることである。別の目的は、大きい画像が両ページ上に同時に表示されることを可能にすることである。Kuno 氏他の特許明細書の装置により、加えられる圧力が増加するとそれだけ一層文書中のページが移動する速度が増す圧力センサによってユーザは文書の中を移動する速度を変更することが可能になる。Kuno 氏他の特許明細書の装置はまた、順方向センサエリアまたは逆方向センサエリア上を押すことによって文書が前方および後方にそれぞれ観察されることを可能にする。スクリーン上に表示されたアイコン上を押すことにより、ジャンプ先のページが選択されることもできる。しかしながら、Kuno 氏他の特許明細書の装置は依然として、本を走査検索するのと同じ便利さを提供するものではない。それは、主に、異なった制御、すなわち、文書中の移動速度、見る方向の変更、および文書の別の部分へのジャンプのための動作の間で切替えを行ったときに、手および指の動きが物理的な本を操作する場合より多くなるためである。さらに、Kuno 氏他の特許明細書の装置は、センサおよびハードウェアが２つの表示スクリーン上に組込まれた専用の比較的高価な装置である。一方、本発明においては、廉価でさらに実用的な装置が既存のコンピュータシステムに対してモジュール方式で追加されることが認識される。
【００１３】
現在、通常のマウス（すなわち、手または指の微細な制御が必要とされる）によりカーソルをコンピュータスクリーン上に位置する上述の問題を取除くことのできるコンピュータマウスもまた存在する。これらのマウスは、ユーザが通常のマウスより少ない微制御によりカーソルが“向かう”スクリーン上の“最新の位置”を指定することを可能にする。さらに、これらのマウスの一部のものは、カーソルの“垂直のみ”または“水平のみ”の移動を生じさせることができるため、スクローリングプロセスに必要とされる微制御は通常のマウスで必要とされるより少なくなる。これらのマウスは、コンピュータベースの文書走査検索に関する限り、通常のコンピュータ入力方法に関連した問題の、全てではないが、そのいくつかを取除く。
【００１４】
Mc Taggart氏による米国特許第 5,417,575号明細書（1995）には、本の形態で１つにまとめられた積層にされたシートから構成された電子ブックが開示されている。これらのシートのそれぞれの上には、プリントされた題材が上部層上に配列され、その層の下には、バッキングシートに取付けられた薄い発光ダイオード（ＬＥＤ）および圧力感応スイッチを含む電子バックドロップが存在する。ＬＥＤは、プリントされた題材の一部を強調するために上部層を通って見られることのできる視覚信号を発生する。プリントされた題材の中のある項目の下に位置された圧力スイッチは、ユーザがこれらの項目を選択したことを感知するためのものである。そのブックには、テキストを説明し、あるいはユーザに音声フィードバックを与えるために音声信号を発生するスピーカも設けられている。接触または光感応スイッチもまたページに埋め込まれているため、電子回路は、どのページが現在見られているかを知ることが可能となり、その結果適切な音声および視覚信号が発生されることができる。この装置がユーザのフィードバックを受取るファシリティであるだけでなく、人が典型的な本を扱うようにそれを操作することを可能にし、プリントされた題材が視覚的および音響的に増強される形態のものであっても、それは基本的に、再度プログラム可能ではないハードワイヤされた装置であり、異なった内容を有するブックのために異なったハードウェアが構成される必要がある。ドキュメントファイルをコンピュータからダウンロードすることにより電子ブック上への表示に備えることはできないし、任意のドキュメントファイルを表示することのできる電子ブックも存在しない。
【００１５】
米国特許第 5,909,207号明細書(Ho)には、電子媒体中の情報の走査検索における上記の問題を解決する電子仮想本の形態の文書をユーザが見て操作することを可能にするコンピュータベースのシステムが記載されている。この仮想本システムは、紙の本を非常に綿密にシミュレートし、２つの主要なコンポーネントを有している。１つは、コンピュータスクリーン上に紙の本を表示することであり、それは写実的なフリップするページと厚さの表示により完全なものにされている。別のものは、（１）フリップ方向の迅速な変更、（２）フリップ速度の迅速な変更、（３）任意の所望のページの選択およびそこへのジャンプ、ならびに（４）ページのブックマークを可能にする走査検索装置を使用することである。この走査検索装置により、紙の本の場合と全く同じやり方で指を使って本のページを操作することが可能になる。このようにして、スクリーン上の本のイメージと共にページの仮想操作が仮想本システムを構成している。この仮想本システムは、情報の走査検索時の容易さが紙の本で得られるものに近付くことができるように、情報走査検索するときに現在の電子手段において使用される方法を非常に有効なやり方で改良する。これによって、ユーザは情報の非常に多くのページ（おそらく、何千ものページ）を迅速に走査検索し、関係する構造および内容を認識し、したがって“仮想本”の中の全体的な題材の集合体の概観を十分に認識することができるようになる。関係する題材の構造および内容を十分に認識できる以外に、紙の本の場合とほぼ同様にして仮想本の形態で与えられた題材を走査検索するプロセスはまた、題材中の項目の後続的なサーチを容易にする。
【００１６】
米国特許第 5,909,207号明細書(Ho)の仮想本走査検索装置は、主に圧力および位置センサを含んでいる。圧力センサに対して指が与える圧力が、仮想本のページをフリップする速度を制御する。仮想本システム内の走査検索装置上の位置センサ上の指の動きは、ジャンプ先のページを選択するための紙の本の厚さ上の指の動きに対応する。このように、圧力センサと位置センサを組合せることにより、仮想本を迅速に走査検索することが可能になる。
【００１７】
しかしながら、米国特許第 5,909,207号明細書(Ho)の速度およびページジャンプ制御方法には、１つの欠点がある。電子的な圧力および位置センサが使用されるため、それはユーザに対して力および摩擦フィードバックを提供することができない。本発明のモニタ／筋肉システムは現実の物理的世界で機能するように構成されているため、物体に力を加えたときの抵抗力が期待される。これによって、ある所望の結果を生じさせるために与えるべき力の量を正確に決定することが可能になる。モニタ／筋肉システムのこの性質のために、指を使用してコンピュータスクリーン上の“マウス”カーソルを制御することが可能になるために、たとえば、ノートブックコンピュータ等において、電子接触バッドが広く使用されているにもかかわらず、多くの人々は依然として、カーソルを制御するために物理的“マウス”を使用するほうを好む。物理的マウスは机上で動かされたときに摩擦に遭い、この情報は、指、手および腕にそれを制御させるモニタシステムにフィードバックされる。この情報により、モニタシステムは、神経系への最小のストレスにより、マウスを制御してコンピュータスクリーン上でカーソルを非常に迅速かつ正確に位置させるように指／手／腕をコントロールする適切な神経のような信号を送ることが容易になる。米国特許第 5,909,207号明細書(Ho)の仮想本システムにも類似した状況が存在する。力および摩擦に関する情報をフィードバックする機械的走査検索装置により、仮想本に対する走査検索プロセスは、最小のストレスで非常に正確かつ迅速に行われるであろう。
【００１８】
また、いくつかの特許明細書（たとえば、Ho氏による米国特許第 5,909,207号明細書）に記載されている仮想本中のフリッピングページを操作する方法は、主に単一または多くのフリッピングページの非常に単純で基本的な操作に制限される。たとえば、多数のページがコンピュータスクリーンにおいてフリップされているとき、これらのページを個々に制御する手段は存在しない。しかしながら、１以上のページが仮想本においてフリップされているとき、ユーザがこれらのフリッピングページをもっと複雑でフレキシブルに操作することが可能にされているならば、それらからさらに多くの情報（たとえば、その仮想本の内容および構造に関する）が迅速に得られることが可能であり、この仮想本中の所望の項目を探すための視覚サーチプロセスがさらに効率的なものにされることができる。
【発明の開示】
【発明が解決しようとする課題】
【００１９】
それ故、本発明者は、仮想本システムが情報を迅速に走査検索するための機械的走査検索装置が必要とされており、その仮想本からもっと上手く情報を得るために仮想本上のフリッピングページを表示し、操作するさらに複雑な方法もまた必要とされていることを認識した。
【００２０】
電子文書を走査検索するためにコンピュータおよび、または把持式電子装置と共に使用される走査検索装置の構成に対して現在利用可能な方式の上述の欠点を考慮すると、本発明の１つの目的は、さらに正確で迅速な制御を行うと共に、これを制御するモニタ神経系に対するストレスを減少させる機械的走査検索装置を提供することである。
【００２１】
本発明の別の目的は、本の走査検索に通常関係する指の動きの使用法、すなわち、関係する文書中を移動する速度の変更、その文書中の移動方向の変更、文書の別の部分へのジャンプ、およびページのブックマーク（たとえば、ページがブックマークされているとき、指によって動作される制御装置を使用することによって後に非常に迅速にそのページに戻る／ジャンプすることができる）を利用する機械的走査検索装置を提供することである。
【００２２】
本発明の別の目的は、ユーザの指または別の器具の制御のために種々の機械的センサインターフェースを提供する多数の種々の機械的走査検索装置を提供することである。たとえば、機械的制御インターフェースは、ｘ、ｙおよびｚ方向に行われるスライド運動、あるいはいくつかの予め定められた軸を中心として行われるロッキングまたは回転運動を提供することができる。
【００２３】
本発明のさらに別の目的は、機械的走査検索装置のアクションに対する二重抵抗方法を提供することである。
【００２４】
本発明の別の目的は、指によって行われる上述の動作のために、ほとんど手の動きがなく、最小の指の動きとすることを可能にし、したがって記憶された文書を走査検索する容易さを最大にするように制御装置を配置し、設計することである。
【００２５】
本発明の別の目的は、走査検索装置を使用して走査検索される文書をコンピュータスクリーン上に表示する手段を提供することである。その表示はコンピュータブックの形態であると共に、現在見られている文書中の題材の前および後の題材の厚さを示し、ブックマークを示し、ジャンプが行われた場合に所定の時間にジャンプされるべきページの位置をその厚さの上に示すものである。
【００２６】
本発明の別の目的は、走査検索装置の制御下にある多数のフリッピングページをコンピュータスクリーン上に表示する手段を提供することである。
【００２７】
本発明のさらに別の目的は、コンピュータブック中の単一のフリッピングページまたはフリッピングページの集合体の選択されたグループのフリップ方向の変更をコンピュータスクリーン上に表示する手段を提供することである。
【００２８】
本発明の別の目的は、コンピュータブック中の多数のフリッピングページのフリーズおよびフリーズ解除アクションをコンピュータスクリーン上に表示する手段を提供することである。
【００２９】
本発明のさらに別の目的は、単一のページおよび、またはページの集合体のシーケンスのランチングおよびフリッピングをコンピュータスクリーン上に表示する手段を提供することである。
【００３０】
本発明の別の目的は、ピックアップされてフリップされる単一のページまたはページの集合体をコンピュータスクリーン上に表示する手段を提供することである。
【００３１】
本発明の別の目的は、単一のページまたはページの集合体がピックアップされて保持され、それに後続していくつかの別のページがフリップされ、保持されたページ上に収集されることをコンピュータスクリーン上に表示する手段を提供することである。
【００３２】
本発明のさらに別の目的は、通常のページの走査検索および操作が行われることのできる“サブブック”がコンピュータブック内に生成されることをコンピュータスクリーン上に表示する手段を提供することである。
【００３３】
本発明の別の目的は、走査検索装置または別の手段を使用して、コンピュータブック上のいくつかのフリッピングページをランチし、単一のフリッピングページまたはフリッピングページの集合体の選択されたグループがコンピュータブック中でフリップする方向を変更し、いくつかのフリッピングページのフリーズおよびフリーズ解除アクションをコンピュータブック中で始動させ、単一のページおよび、またはページの集合体のシーケンスをランチしてフリップし、単一のページまたはページの集合体をピックアップしてフリップし、単一のページまたはページの集合体をピックアップして保持し、それに後続していくつかの別のページをフリップし、この保持されたページ上に収集し、通常のページの走査検索および操作が行われることのできる“サブブック”をコンピュータブック内に生成する方法を提供することである。
【００３４】
本発明のさらに別の目的は、種々の複雑なフリップアクションを制御するコンピュータタッチスクリーン方法を提供することである。
【００３５】
本発明の別の目的は、コンピュータブック中のフリップしているページの両面をコンピュータスクリーン上に表示する手段を提供することである。
【００３６】
本発明の別の目的は、所望のページを選択して、そこにジャンプするために使用されるカーソルを制御する微制御メカニズムをコンピュータスクリーン上に表示する手段を提供することである。
【００３７】
本発明の別の目的は、所望のページを選択してそこにジャンプするために使用されるカーソルを微制御メカニズムが制御する方法を提供することである。
【００３８】
本発明のさらに別の目的は、コンピュータスクリーン上にコンピュータブックを表示するために必要とされるスペースの量を減少するように片側が折り曲げられたコンピュータブックをコンピュータスクリーン上に表示する手段を提供することである。
【００３９】
本発明の別の目的は、関係する文書中の題材を認識して、たとえば、現在見られているページ上において題材を比較するために並べて位置させる等、ブラウジング／ビューイングを容易にすることのできる別のソフトウェアにより上述の走査検索ファシリティを使用することである。
【００４０】
本発明の別の目的は、関係する文書中のページ上の題材または注釈の選択された部分を強調して、ブラウジング／ビューイング／リーディングを容易にすることのできるソフトウェアにより上述の走査検索ファシリティを使用することである。
【００４１】
本発明のさらに別の目的は、ワードプロセッサにおける材料の入力、処理、およびビューイング／ブラウジングを容易にするために上述の走査検索ファシリティをワードプロセッサに提供することである。
【００４２】
本発明の別の目的は、観察される、あるいは操作される情報が１つのコンピュータスクリーン内に収まりきらない任意のソフトウェアに対して上述の走査検索ファシリティを提供することである。
【００４３】
本発明のさらに別の目的は、伝統的にウィンドウズ(Ｒ)の形態で提供されているコンピュータスクリーン上の情報が“ブック”の形態で提供されることのできる新しいメタファ、すなわち“ライブラリメタファ”をコンピュータオペレーティングシステムの人間インターフェースに提供することである。
【課題を解決するための手段】
【００４４】
上述した目的は、上面、センサ表面および底面を備えている、文書を走査検索する走査検索装置によって達成されることができる。センサ表面上の機械的センサは指または器具のｘ、ｙ、ｚ、並進運動、あるいはいくつかの特定の軸を中心としたそのロックおよび回転運動を検出する。走査検索装置はまた、指によってそれぞれ動作される底面上の４つのボタン／オン・オフスイッチおよび前記上面上の付加的な４つのボタン／オン・オフスイッチを備えている。電気回路は、センサエリア上の力および位置センサにより検出されるそのエリア上の指の力および位置を電気形態に変換してそれらを出力する。電気回路はまた、底面上の４つのボタン／オン・オフスイッチと前記上面上の付加的な４つのボタン／オン・オフスイッチのオン／オフ状態を出力する。
【発明を実施するための最良の形態】
【００４５】
本発明およびそれに付随する多くの利点は、添付図面と共に以下の詳細な説明を参照とすることによってよく認識されたときに、それは容易に完全に理解されるであろう。
図面を参照とすると、同じ参照符号がいくつかの図、とくに、図１と同じまたは対応した部分を示しており、この図１は、コンピュータ中に記憶されている文書または任意の情報を走査検索するために既存のコンピュータシステムと共同して使用されることのできる本発明による走査検索装置100を示している。４つの走査検索コマンド(101乃至104)は走査検索装置100により入力されて検出される。これらのコマンドは、（ａ）文書中で行われる移動は順方向か、あるいは逆方向かを指定する移動方向コマンド101、（ｂ）（ａ）で記述された移動の速度を指定する移動速度コマンド102、（ｃ）関与する文書または情報の中の指定された位置にジャンプする指定された地点へのジャンプコマンド103、（ｄ）関与する文書または情報のある定められた部分がブックマークされることを指定するブックマークコマンド104を含んでいる。これらのコマンドに基づいて、走査検索装置100に接続されたコンピュータシステム（たとえば、図４中のコンピュータ199）において必要な動作を行うために信号が発生され、出力される。
【００４６】
図２および３は、本発明による主走査検索装置100の１実施形態を示している。走査検索装置100は、その上面110から延在する傾斜表面120を備えている。この傾斜表面120はユーザの親指122をその上にのせて支持する。もっとも、ユーザは別の器具または指もまた使用することができる。動作中、他の４本の指141乃至144は親指122と反対に装置の底面130上に置かれている。
【００４７】
傾斜面120上において、走査検索制御装置121（その構成は以下に説明されている）は、上記の指定された走査検索コマンドの１以上のものを付勢する信号を検出する。以降、傾斜の方向は図２に示されているようにｘ方向と呼ばれ、上面110と傾斜面120とに接しているエッジとは反対向きの正のｘ方向を指している。正のｚ方向は、図２および３に示されているように、傾斜面120に垂直であり、傾斜面120から“上方”を指す方向であると規定される。
【００４８】
図３に示されているように、底面130上には４つのボタン／スイッチ131乃至134が配置されており、４本の指(141乃至144)が底面130上に置かれたときに、これらの動作中これらの指(141乃至144)が容易に届く範囲内にある。装置100の上面110上には、図２に示されているように、別の４つのボタン／スイッチ(111乃至114)が、好ましくは上面110と傾斜面120とに接するエッジと平行に配置されている。底面および上面(130および110のそれぞれ)上のボタン(131乃至134および111乃至114)はブックマークするためのものである。これらのボタン(131乃至134および111乃至114)の使用は、走査検索装置100が使用される特定の構成に依存し、この明細書においてその各内容全体が参考文献とされている米国特許第 5,909,207号明細書(Ho)および米国特許第 6,064,384号明細書(Ho)に記載されている。以下、これらのボタンを使用する別の方法を説明する。
【００４９】
ラッチングメカニズム151および152は、主走査検索装置100の２つの部品が互いに接合されることを可能にする。
【００５０】
図２および３に示されている走査検索装置100の１つの使用は、左側部品161および右側部品162の２つの部品を結合して、図４および５に示されているもののような複合走査検索装置160にすることである。走査検索装置160はコンピュータ199またはプロセッサを内蔵した別の種類の電子装置に接続される。走査検索装置160により検出される図１に示されているコマンド信号101、102、103および104は、コンピュータ199または別の種類の電子装置上に表示されたブック状インターフェースにおいて文書の走査検索を制御するために使用される。図６にはブック状インターフェースの１実施形態が示されている。
【００５１】
図４に示されているように、左側部品161は、４つのブックマークボタン180乃至183が配置された上面141と、別の４つのブックマークボタン170乃至173が配置された底面142とを有している。左側部品161もまた、走査検索制御装置163が配置された傾斜面191を有している。右側部品162は、４つのブックマークボタン184乃至187が配置された上面143と、別の４つのブックマークボタン174乃至177が配置された底面144とを有している。右側部品162もまた、走査検索制御装置164が配置された傾斜面192を有している。左側走査検索制御装置163は左手親指165または別の指あるいは器具により制御され、右側走査検索制御装置164は右手親指166または別の指あるいは器具により制御される。
【００５２】
図６は、コンピュータまたはコンピュータ状の装置上に電子情報を表示するために使用されるコンピュータスクリーン201上に示されたコンピュータブック200の１実施形態を示しており、このコンピュータブック200は、コンピュータマウス、タッチスクリーン、図２および３に示されている走査検索装置100、または図４に示されている走査検索装置160のようなある種のコンピュータ入力装置によって制御されることができる。コンピュータブック200は、ページ202および203のような任意の数のフリッピングページ、左側静止ページ206および右側静止ページ207、左側厚さ210、左下厚さ211、右側厚さ212、右下厚さ213、左側厚さ210上のブックマーク220、221、222および223、右側厚さ212上のブックマーク230、231、232および233、左側厚さ210上のジャンプカーソル240、ならびに右側厚さ212上のジャンプカーソル241から構成されている。
【００５３】
図６におけるコンピュータブック200の特定の実施形態は、水平表示モードである。同様に、コンピュータブック200は、ページがスクリーンの上部からスクリーンの下部に、あるいはその逆にフリップされ、それに応じて厚さおよびその他の特徴が表示される垂直表示モードでコンピュータスクリーン201上で方向付けられることができる。
【００５４】
図４に示されている走査検索装置160は、図６に示されているコンピュータブック200の形態で与えられたコンピュータ上の電子文書の走査検索およびその中での移動を以下のやり方で制御するために使用されることができる。移動方向コマンド101（図１）は、202および203のようなフリッピングページを所望された方向に応じて右から左に、あるいはその逆にフリップさせる。これは、走査検索装置160上の左側および右側走査検索制御装置163および164の上で左手および右手親指165および166（あるいは任意の別の指または器具）をそれぞれ動かすことによって行われることができる。
【００５５】
移動方向コマンド101を発生する１つの方法は、ページ（202，203等）の右から左へのフリップ移動を行うように左側走査検索制御装置164上において“下方の”力を（ｚ方向に）与えるために右手親指166を使用すること、およびページ（202，203等）の左から右へのフリップ移動を行うように左側走査検索制御装置166上において“下向きの”力を（ｚ方向に）与えるために左手親指165を使用することを伴なう。
【００５６】
移動速度コマンド102は、文書中を移動する速度を指図する。基本的に２つの方法により、種々の移動速度が達成されることができる。１つの方法において、個々のフリッピングページ（202，203等の）はコンピュータスクリーン201において速くまたは遅く移動する。別の方法では、多いまたは少ないフリッピングページ（202，203等の）が任意の所定の時間にコンピュータスクリーン201において進行する。２つの方法はまた組合せられることができる：たとえば、さらに多くのページが任意の所定の時間にスクリーンにおいて進行すると共に、各ページのさらに速い移動がその文書中におけるさらに速い移動を達成する。したがって、文書中における移動速度が速くなると、フリッピングページは速く移動し、および同時に、またはコンピュータスクリーン201においてフリップされるページが多くなる。文書中における移動速度が遅くなると、フリッピングページは遅く移動し、および同時に、またはコンピュータスクリーン201においてフリップされるページが少なくなる。
【００５７】
移動速度コマンド102を発生する１つの方法は、左から右へおよび右から左へのそれぞれの所望のフリップ速度を指定するために走査検索制御装置163および164上の親指165および166の圧力をそれぞれ使用することを伴なう。速度を指定する１つの方法は、高い速度を示すために大きい圧力を使用し、低い速度を示すために小さい圧力を使用することである。
【００５８】
指定された地点へのジャンプコマンド103を発生する第１のステップは、ジャンプ先である文書中の地点を選択することである。１つの方法は、走査検索制御装置163および164上での親指165および166のｘ方向への移動をそれぞれ使用することである。たとえば、＋ｘまたは−ｘ方向に右手親指166をスライドすることにより、右側ジャンプカーソル241（図６）はコンピュータブック200の右側の厚さ212上において＋ｘ（下方）または−ｘ（上方）方向にそれぞれ移動する。所望の地点が選択されたとき、１つの方法は、指定された地点へのジャンプを行うように親指(165および166)により対応した走査検索制御装置（163および164）に（−ｚ方向に）それぞれ与えられる圧力を使用することである。
【００５９】
ブックマークコマンド104を発生する１つの方法は、走査検索装置160の底面上のボタン170乃至177またはこの装置160の上面上のボタン180乃至187を使用することである。ボタンを使用する１つの方法は次のとおりである：右側装置162上のボタン174乃至177または184乃至187はコンピュータブック200の右側厚さ212上において対応したブックマーク230乃至233を発生し、一方左側装置161上のボタン170乃至173または180乃至183はコンピュータブック200の右側厚さ210上において対応したブックマーク220乃至223を発生する。たとえば、ブックマーク230は、コンピュータブック200がそれのブックマークしたページを示しており、対応したボタン174または184が一度押下されたときに発生される。後に、ブックマーク230がブックマークしたページに戻るために、ボタン174または184は一度押下される。基本的に、永久ブックマークおよびフィンガーブックマークの２種類のブックマークが存在する。永久ブックマークは、ひとたび生成されると、特定のブックマーク除去コマンドが与えられるまで常にそこに位置している。他方、フィンガーブックマークは、文書中のページのフリッピングが、そのブックマークが位置しているページを通過して行われたときに自動的に除去される。これは、物理的な本を検索するときに指を使用してページをブックマークするのと同じプロセスである。永久およびフィンガーブックマーキングのプロセスは、米国特許第 5,909,207号明細書(Ho)および米国特許第 6,064,384号明細書(Ho)に記載されている。
【００６０】
図７乃至１０は、所望の走査検索コマンド101乃至104を指定して付勢するために指310または器具がセンサ表面(300乃至303)上で行うことのできる基本的なカノニカル機械的アクションを示している。上述した走査検索コマンド101乃至104を発生する方法には、指のｘ、ｙおよびｚ方向ならびに、おそらく、ある回転（ｒ方向）移動が必要である。以下に説明する走査検索コマンド101乃至104を発生する機械的方法では、指310はセンサ表面(300乃至303)を４つのモード（306乃至309）の１つで移動する。
【００６１】
モード306において、センサ表面300は基本的にｘおよびｚ方向に移動する。これらの移動は、並進運動である。ｙ方向の移動もまた可能にされる。モード307において、センサ表面301は基本的にｚ方向に変換すると共に、センサ表面301の一側と平行にその重心を通過する線であるセンサ表面301の中心線のごく近くに位置する軸320を中心として回転する。モード308において、センサ表面302はｘ方向に変換すると共に、センサ表面302の中心線から若干離れて位置する軸321を中心として回転する。モード309において、センサ表面303は、その中心線に近接して位置する軸322を中心として回転すると共に、センサ表面303の中心線から若干離れて位置する軸323を中心として回転する。モード307乃至309では、ｙ方向の移動もまた可能にされる（図７乃至１０には示されていない）。
【００６２】
移動機械的センサ表面から特定の信号を得る別のやり方は、多くの抵抗領域を使用してそれの移動に抵抗することである。図１１は、センサ表面400に与えられることのできる基本的なカノニカル二重抵抗アクションを示している。このプロセスは次のとおりである。最初に、ばねその他の弾性メカニズムを使用することにより、センサ表面400は、たとえば、−ｚ方向に変換したとき、たとえば、それが上方領域401において移動している期間中にその移動方向と反対向きのある大きさの力403を受ける。その後、それの−ｚ方向変換移動が領域402に及んだとき、センサ表面400は第１の抵抗力403に加えて第２の抵抗力404を受ける。合計の力は力403および404の和となり、結果的にセンサ表面400上に力を加えた指または器具が受ける抵抗力は、第１の力403だけが存在する場合と比較して強くなる。二重抵抗アクションは三重またはそれ以上の抵抗アクションに一般化されることができる。
【００６３】
図１２は、基本的な機械的アクションモード306（図７）に基づいた走査検索制御装置500の１実施形態を示している。制御装置500は、可動制御プラットホーム501を有している。この可動制御プラットホーム501は、ユーザの親指または別の指あるいは器具がのせられているセンサ表面502に結合されている。制御プラットホーム501およびセンサ表面502は一緒に動く。センサ表面502、および制御プラットホーム501に関連したメカニズムの残りのものは、カバー503により覆われている。たとえば、走査検索制御装置500全体が走査検索装置100内に取付けられたとき、センサ表面502だけが見えて、親指または別の器具により使用されることができる。センサ表面502はそこに形成された溝504あるいはその上に被覆された別の摩擦材料を備えているので、その上で動作する指または器具に摩擦を提供する。
【００６４】
プラットホーム501はｘ方向またはｚ方向において変換されることができる。プラットホーム501はフレーム510内においてx方向にスライドする。フレーム510の適切な内面上の溝（溝513のような）は、溝（溝513のような）に適合するプラットホーム501からの適切な突出部品（図１２には示されていない）と共に、フレーム510内を移動するようにプラットホーム501を制約する。フレーム510内のばね511および512は、プラットホームがフレーム510の“上方”エッジ515に接して位置しているときのポジションであるニュートラルポジションにフレーム510を復位させるように機能する。正のｘ方向は図１２に示されているとおりである。プラットホーム501が親指または別の指あるいは器具によって正のｘ方向に移動されたとき、ばね511および512は圧縮され、親指のｘ方向の力がプラットホーム501から除去されるやいなや、このプラットホーム501はそのニュートラルポジションに戻る（エッジ515に接して位置する）。
【００６５】
図１２はさらに、ｘ方向にプラットホーム501を移動することによりフレーム510に関するプラットホーム501のｘポジション信号が発生されるメカニズムを示している。フレーム510の一方のエッジ520上において、薄膜抵抗材料のストリップ522が被覆されている。可動プラットホーム501から突出した金属ポインタ523が抵抗ストリップ522に接触する。この抵抗ストリップ522は金属ポインタ523と一緒に線形電位差計を形成し、この線形電位差計からプラットホーム501のｘポジションが決定されることができる。２本のワイヤ524および525は抵抗ストリップ522の両端部に接続され、１本のワイヤ526は金属ポインタ523に接続されている。これらのワイヤは、抵抗ストリップ522および金属ポインタ523により形成された線形電位差計から電気信号が読出されることを可能にする。
【００６６】
図１２はプラットホーム501がフレーム510と一緒にｚ方向に変換するメカニズムを示している。支持体550乃至553は、それの適切な内面上の適切な溝（溝554のような）およびその溝（溝554のような）に適合するフレーム510から突出した適切な部品（図１２には示されていない）と一緒に、ｚ方向だけに移動するようにフレーム510を制約する。ばね555、556、585および586（隠されている）は、支持体550乃至553に沿った正のｚ方向において“最も高い”ポジションであるニュートラルポジションにフレーム510およびしたがってプラットホーム501を復位させるように機能する。ばね557は小さいプラットホーム558と一緒に、フレーム510およびプラットホーム501の負のｚ方向の移動のための第２の抵抗領域を提供する。小さいプラットホーム558の上面570上は導体571で被覆されている。これは、フレーム510の対応した底面を被覆している導体572と一緒に、電気信号を発生して第２の抵抗領域への到達を示すことのできるスイッチを形成する。ワイヤ575および576は、電気信号の読出しを可能にするために導体571および572にそれぞれ接続されている。（この第２の抵抗領域を提供する類似した構造体は、構造500の対応した反対側に隠れていて見えない。これは、対称的な“上方”または＋ｚ方向の抵抗力を提供するためである。）
図１２はまた、ｚ方向におけるプラットホーム501の移動が支持体550乃至553に対するｚポジション電気信号を発生するメカニズムを示している。フレーム510の１つの隅上には、金属ポインタ560がフレーム510から突出している。このポインタ560は、支持体552の一側上に垂直に取付けられた抵抗ストリップ561に接触する。２本のワイヤ565および566は、抵抗ストリップ561の両端部に接続され、１本のワイヤ567は金属ポインタ560に接続されている。金属ポインタ560および抵抗ストリップ561を含む構造は、フレーム510およびプラットホーム501のｚポジションがそれぞれ電気的に測定されることのできる線形電位差計を形成する。
【００６７】
センサ表面502の下に隠されている全てのメカニズムは、この表面502上で動作する任意の指または器具に以下のメカニズムアクションを提供する。センサ表面502は、ｚ方向またはｘ方向に移動することができる。そのニュートラルｚポジションは、それがカバー503に対して接して位置しているときである。そのニュートラルｘポジションは、それがある負の最大ｘポジションである。正のｘ方向における移動は負のｘ方向におけるにおける復位力で対応され、−ｚ方向における移動は＋ｚ方向における抵抗で対応される。さらに、−ｚ方向における移動は二重抵抗アクションを受ける。すなわち、ニュートラルポジションから若干ずれると、ある抵抗力を受け、ニュートラルポジションからさらにずれると、さらに強い抵抗力を受ける。
【００６８】
ｙ方向（ｘおよびｚ方向の両者に垂直な）における移動は構造500には示されていないが、構造500全体は、それがY方向に移動することを可能にすると共に、ｙ方向の力がそれに与えられないときに、それがニュートラルｙポジションに戻ることを可能にするようにｘおよびｚ方向の移動を生じさせるメカニズムに類似したメカニズムで取付けられることができる。
【００６９】
種々の走査検索コマンド101乃至103を発生するために走査検索制御装置500のセンサ表面502の種々の移動およびアクションを使用する1つの方法は次のとおりである。センサ表面502の各迅速な押下（ｚ方向における）および解放（たとえば、１００ミリ秒以内）が基本的なページのフリッピングを付勢し、この走査検索制御装置500が図４における走査検索制御装置164のような右側走査検索制御装置として取付けられた場合、それはコンピュータブック200の右側から左側へのページのフリッピング／ランチングを示す（移動方向コマンド101）。センサ表面502がーｚ方向に押下され、しばらく（たとえば、３００ｍ秒以上）保持された場合、２以上のフリッピングページ(202，203等)がコンピュータブック200において発生されてもよい。フリッピングページ(202，203等)の開始のインターバルは、センサ表面502の−ｚポジションに反比例する。すなわち、センサ表面502を“さらに深く”押下することにより多くのフリッピングページ(202，203等)が生成されるインターバルが短くなり、したがって多くのページが所定のインターバル中に生成され、したがって多くのページが所定のインターバル中にコンピュータブック200において進行し、したがって関与するコンピュータブック200または電子ブック中での速い移動となる（移動速度コマンド102）。センサ表面502の押下が浅くなると、対応的にコンピュータブック200での移動速度が低くなり、したがって所定の時間にランチされるフリッピングページが少なくなり、それ故所定の時間にコンピュータブック200において進行するページが少なくなり、したがってコンピュータブック200における移動が遅くなる。センサ表面502に対して−ｚ方向に与えられる力が存在せず、それがニュートラルポジションに戻ったとき、新しいページは発生されない（また、はじめに発生されたページはある動作モードでコンピュータブック200の反対側にフリップし続けることを可能にされる）。
【００７０】
走査検索制御装置は文書が走査検索されている速度のレートに関する触覚フィードバックをその文書を走査検索している人物に与えながら、視覚表示が速度のレートの別の表示を提供する。聴覚フィードバックもまた提供されてもよく、この場合“フリップ”音（スピーカから出力される）のピッチおよび、または可聴レベルがフリップ速度および移動されている物質の量に基づいて変化させられる。
【００７１】
指定された地点へのジャンプコマンド103は次のように得られる。最初に、ジャンプすべき地点を選択するために、センサ表面は＋ｘ方向に移動される。この走査検索制御装置500が図４における右側走査検索制御装置164として取付けられている場合、それはコンピュータブック200の右側厚さ212上の右側ジャンプカーソル241を付勢する。右側ジャンプカーソル241のニュートラルポジションはコンピュータブック200の右側厚さ212の左端にある。これは、センサ表面502のニュートラルｘポジション（すなわち、制御プラットホーム501がその支持フレーム510の最大−ｘエッジ515に接しているときの）に対応している。センサ表面502が＋ｘ方向に移動されると、右側ジャンプカーソル241は図６に示されているコンピュータブック200の右側厚さ212の左端から離れるように＋ｘ方向に沿って移動する。関与するコンピュータブック200または文書中の所望の地点に対応した右側厚さ212上の所望の地点を選択するために、センサ表面502はジャンプカーソル241の後方および前方移動を付勢するためにそれぞれ＋ｘおよび−ｘ方向に後方および前方移動されることができる。右側の厚さ212上の所望の地点に到達したとき（すなわち、コンピュータブック200または文書中の所望の地点に到達したとき）、ｚ方向におけるセンサ表面502の迅速押下および解放がその所望の地点へのジャンプを付勢する。ジャンプが所望されない場合、センサ表面502上のｘ方向における力を解放することにより、センサ表面502はニュートラルポジションに自動的に戻され、それによってジャンプカーソル241もまたコンピュータブック200の右側厚さ212上のニュートラルポジションに戻される。
【００７２】
この構造500がｙ方向（図１２に示されていない）に移動することを可能にする若干のメカニズムがこの構造に追加されることができる。構造500全体は、それがｙ方向に移動することを可能にすると共に常にニュートラルｙポジションに戻る能力を備えた、上述したｘおよびｚ方向移動メカニズムに類似したメカニズム上に取付けられることができる。これの１実施形態はある限界＋ｙポジションにニュートラルｙポジションを有し、−ｙ方向の移動はあるばねアクションによって抵抗される。この方向における移動が可能ならば、それはブックマークコマンド104を発生するために使用されることができる。図１２に示されている構造500全体をｙ方向にトラックでスライドさせてもよく、その弾性部材がこの構造を最大ポジションの一方である＋ｙまたは−ｙにバイアスする。ブックマーキングのために図４に示されている走査検索装置160においてブックマークボタン170乃至177および180乃至187のようなブックマークボタンを使用する代りに、図６に示されているブックマーク220乃至223および230乃至233のいくつかまたは全てを生成し、それに続いてジャンプするためにｙ方向移動が使用されることができる。走査検索装置500が図４に示されている走査検索装置160の右側走査検索制御装置164として使用された場合、たとえば、センサ表面502の−ｙ方向における迅速スライディングおよび解放（それによる限界＋ｙポジションにおけるニュートラルｙポジションへの迅速復帰）はコンピュータブック200の右側ページ207上において、たとえば、ブックマーク230を生成することができる。その後、コンピュータブック200においてページがさらにフリップされるため、ブックマーク230は右側厚さ212の側面を＋ｘ方向にさらに下方に移行することができ、この時点でセンサ表面502の−ｙ方向における別の迅速スライディングおよび解放がブックマーク230によってブックマークされたページへのジャンプをトリガーする。
【００７３】
図４に示されているブックマークボタン170乃至177および180乃至187の典型的な使用は、その各々を使用して１つの対応したブックマークを生成し、それにジャンプすることである。したがって、図６におけるブックマーク230はボタン174（走査検索制御装置160の底面144）およびボタン184（走査検索制御装置160の上面143）に対応することができ、ブックマーク231はボタン175およびボタン185に対応することができる等である。この方式では、４つまでのブックマークがコンピュータブック200の各側面に生成されることができる。ｙ方向移動を使用する上記の方法は、コンピュータブック200の各側面に１つのブックマークだけを生成することができる。スイッチ（または電気、磁気または光学センサ）が制御装置500上に配置されている場合、制御装置500がその−ｙ方向移動の限界まで移動されたときに電気信号が発生される。その後、この電気信号は、第２のブックマークをさらに生成するために使用される。たとえば、センサ表面502の−ｙ方向の許容可能な移動限界まで−ｙ方向に迅速スライディングしスイッチにヒットし、信号を発生し、その後それがそのニュートラルｙポジションに戻るようにセンサ表面502を解放することにより、コンピュータブック200上のブックマーク231のような第２のブックマークが生成されることができる。第２に、この同じアクションが行われ、ブックマーク231によってブックマークされたページへのジャンプが行われる。
【００７４】
ｙ方向移動を制御するさらに複雑なメカニズムは、４つまでのブックマークの生成を可能にする。たとえば、センサ表面502のニュートラルｙポジションがｙ方向移動の許容可能な全範囲の中間地点に位置するように、メカニズム（制御装置500の両側面上の抵抗ばねのような）が制御装置500に追加され、適切なリミットスイッチが設置された場合、（１）センサ表面502の＋ｙ方向における迅速スライディングおよび解放と、および（２）センサ表面502のリミットスイッチへの＋ｙ方向における迅速スライディングおよび解放とを使用することにより、さらに２つのブックマークが生成されて使用されることができる。
【００７５】
走査検索制御装置500の別の動作モードにおいて、ばね557および小さいプラットホーム558によって提供される第２の抵抗領域は、指定された地点へのジャンプコマンド103を生成するために使用されることができる。前に、センサ表面502の迅速押下および解放は適切な方向におけるフリッピングページのランチを付勢することが説明された。センサ表面502の押下および保持アクションは、再び適切な方向における多くのフリッピングページのランチングを付勢する。多くのページフリッピングを付勢するこの押下および保持アクションは、第１の抵抗領域、すなわち、ばね557およびその関連した小さいプラットホーム558が動作する前の領域内で−ｚ方向に発生しなければならない。センサ表面502が十分迅速に−ｚ方向に押下され、第１の抵抗領域の−ｚ方向における進行が十分に短いインターバル（たとえば、１００ミリ秒未満）で行われ、このインターバルの終りに、ばね557およびその関連した小さいプラットホーム558が第２の抵抗（それによってセンサ表面502の連続した“下方”または−ｚ方向の移動に対する＋ｚ方向の強い抵抗力）を提供するように動作させられた場合、ジャンプカーソル制御アクションがトリガーされる。この第２の抵抗領域の侵入は、２つの導体571および572ならびにそれらの対応したワイヤ575および576により形成されたスイッチにより発生された信号によって示される。その代りに、非線形抵抗特性（たとえば、ディスクリートに増加されるレベルで抵抗量を示す）を有する弾性部材が使用されてもよい。同様に、ディスクリートな各機械的抵抗インクリメントに対して、フリップ速度のレートをさらに大きくするように電気信号（アナログまたはデジタル）値の対応した増加が行われる。デジタル信号が出力される場合、制御装置はアナログデジタル変換器を備えた埋込みプロセッサを備えている。その代り、制御装置は、プロセッサを含まずにアナログデジタル変換器を備えている。
【００７６】
第２の抵抗領域に入ったとき、たとえば、コンピュータブック200における右側ジャンプカーソル241（すなわち、走査検索制御装置500が図４における走査検索制御装置164のような右側走査検索制御装置として使用された場合）は、コンピュータブック200の右側の厚さ212の左端におけるそのニュートラルポジションを離れて、右側の厚さ212上を＋ｘ方向に移動し、ジャンプすべきコンピュータブック200中の所望の地点の選択のためにこの厚さ212の幅全体を横断し始める（図６）。厚さ212上の所望の地点に到達したとき、ジャンプアクションをトリガーする１つの方法は、図４に示されている走査検索装置160の右側部品162上のボタン174乃至177または184乃至187の１つを押下げることである。
【００７７】
二重抵抗動作モードにおいて、ジャンプすべきコンピュータブック中の所望の地点を選択した後に、ジャンプアクションを付勢する別の方法は、センサが案内したときにセンサ表面502のｙ方向移動を使用することであり、これを可能にするために図１２に示されている制御装置500に対して弾性部材が追加される。１つの方法は、たとえば、ニュートラルｙポジションを離れるようにセンサ表面502の―ｙ方向への移動を使用してジャンプを付勢することであり、その後センサ表面502はニュートラルｙポジションに戻る。さらに別の方法は、任意のポジションを離れるように最大−ｚポジションへのセンサ表面の迅速押下（たとえば、１００ミリ秒以内）を使用して、ジャンプを付勢することである。その代りに、それは図６に示されている＋ｘ方向に右側ジャンプカーソルを連続的に移動させる。
【００７８】
走査検索制御装置500のさらに別の動作モードにおいて、ページのフリッピングの開始ならびに移動速度コマンド102の発生のためにコンピュータブック200におけるジャンプすべき地点の選択ならびに指定された地点へのジャンプコマンド103の発生のためにセンサ表面502のｘ方向移動を使用する代りに、ページのフリッピングを開始し、移動速度コマンド102を発生するためにｘ方向移動が使用されることができ、また、コンピュータブック200におけるジャンプすべき地点を選択し、指定された地点へのジャンプコマンド103を発生するためにｚ方向移動が使用されることができる。Ｙ方向移動メカニズムもまた、上述されたブックマークコマンド104の代りに、移動速度コマンド102および指定された地点へのジャンプコマンド103のいずれに対して使用されてもよい。一般に、ｘ、ｙおよびｚ移動の任意の１つが走査検索コマンド101乃至104の任意の１つを発生するために使用されることができる。
【００７９】
図１３は、機械的アクションモード307（図８）に基づいた走査検索制御装置600の１実施形態を示している。この制御装置600は、ｚ方向に移動するプラットホーム601と、主軸651を中心として回転する円筒形ローラ650とを備えている。図１２に示されているカバー503に類似したカバーは、ローラ650の上部部分だけが露出されて指または任意の器具の制御のためにアクセスされるように、制御装置600全体の上に随意に配置されることができる。
【００８０】
走査検索制御装置600の動作は次のとおりである。プラットホーム601は４つの支持体610、611、612および613（隠れていて見えない）によって支持されている。支持体610乃至613の適切な内側の溝（支持体611上の溝680のような）は、プラットホーム601からの適切な突出部品（図１３には示されていない）と共に、ｚ方向に移動するようにプラットホームを制約する。４つのばね615、616、617および618（隠れていて見えない）は、４つの支持体610乃至613によって許容可能な最高の＋ｚポジションである最大＋ｚポジションにプラットホームを戻す。
【００８１】
抵抗ストリップ620は支持体612の垂直表面の１つの上に被覆されている。金属ポインタ621は、それが抵抗ストリップ620と接触するように、プラットホーム601の側面の１つ上に固定されている。２本のワイヤ630および631は抵抗ストリップ620の両端部に接続され、ワイヤ632は金属ポインタ621に接続されている。抵抗ストリップ620、金属ポインタ621およびそれらに接続されたワイヤ630乃至632は一緒に線形電位差計を形成し、この線形電位差計からプラットホーム601のｚポジションが電気的に測定されることができる。
【００８２】
ローラ650は、２つの支持体660および661の間に取付けられる。それは図１３に示されているように＋ｒおよび−ｒ方向に回転することができる。ローラ650上の溝652は、ローラ650にその主軸651を中心として回転運動を行わせるために指または器具に対する摩擦を与える。ローラ650は、２つの支持体661および662の間に取付けられたロータリー電位差計671に結合される。ロータリー電位差計は、ローラ650の角度位置（始点に関して＋ｒ方向において定めれ、ニュートラルポジションである）が測定されることを可能にする。ばね670は−ｒ方向における回転力を提供し、ローラ650をニュートラル角度位置にローラ650を戻す。支持体661に面したローラの表面上のいくつかの突出部品（示されていない）は、ローラがニュートラルポジションを越えてーｒ方向に回転しないようにする。
【００８３】
移動方向コマンド101および移動速度コマンド102を発生する1つの方法は、走査検索制御装置500について上述した方法に類似している。ローラ650の各迅速押下（−ｚ方向における）および解放は、基本的なページのフリッピング／ランチングを付勢し、この走査検索制御装置600が図４の走査検索制御装置164のような右側走査検索制御装置として取付けられた場合、それはコンピュータブック200の右側（図６）から左側へのページのフリッピングを示す（移動方向コマンド101）。ローラ650が−ｚ方向に押下され、しばらく保持された場合、２以上のフリッピングページ（202，203等）がコンピュータブック200において開始（ランチ）されてもよい（図６）。ページ（202，203等）のフリッピングが開始されるインターバルは、センサ表面502の−ｚポジションに反比例する。すなわち、センサ表面502を“さらに深く”押下することにより、多くのページ(202，203等)のフリッピングが開始されるインターバルが短くなり、したがって多くのページが所定のインターバル中に開始され、したがって多くのページが所定のインターバル中にコンピュータブック200において進行し、したがって関与するコンピュータブック200または電子文書中での速い移動となる（移動速度コマンド102）。センサ表面502の押下が浅くなると、対応的にコンピュータブック200での移動速度が低くなり、したがって所定の時間にフリップするページが少なくなり、それ故所定の時間にコンピュータブック200において進行するページが少なくなり、したがってコンピュータブック200における移動が遅くなる。ローラ650に対して−ｚ方向に与えられる力が存在せず、それがニュートラルポジションに戻ったとき、新しいページは開始されない（また、はじめにランチされたページはある動作モードでコンピュータブック200の反対側にフリップし続けることを可能にされる）。
【００８４】
指定された地点へのジャンプコマンド103を発生する第１のステップは、ジャンプ先であるコンピュータブック200または文書を選択することである。これはローラ650を＋ｒ方向に転がすことにより行われる。走査検索制御装置600が図４に示されている走査検索装置160中の右側走査検索制御装置164として使用された場合、ローラ650のニュートラル角度位置からの任意の＋ｒ方向の角度的なずれがコンピュータブック200の厚さ212上の右側ジャンプカーソル241の＋ｘ方向における移動をトリガーする。所望の地点に到達したとき、ジャンプはローラ650の垂直（すなわち、−ｚ方向における）押下によって行われることができる。ジャンプが所望されない場合、ローラ650上の力を解放することにより、それはニュートラル角度位置に戻リ、したがって対応的に右側ジャンプカーソル241が厚さ212上のそのニュートラルポジション、すなわち、左端のポジションに戻る。
【００８５】
図１２における走査検索制御装置500中に示されている第２の抵抗領域（ばね557および小さいプラットホーム558）を提供するために使用された構造に類似した構造が走査検索制御装置600に追加されることができ、それによって走査検索制御装置500に対して上述された指定された地点へのジャンプコマンド103を発生する別の方法が提供されることができる。
【００８６】
図１４は、基本的な機械的アクションモード307（図８）に基づいた走査検索制御装置700のさらに別の実施形態を示している。図１４に示されているように、走査検索制御装置700はセンサ表面701を備えており、それは＋ｚおよび−ｚ方向において移動すると共に、＋ｒおよび−ｒ方向において回動できるように支持されている。構造700全体は、センサ表面701だけが露出され、指または器具制御のために利用可能になるように、図１２のカバー503の場合のようにカバーの下に随意に覆われることができる。
【００８７】
センサ表面701は垂直支持体740上に取付けられ、その垂直支持体740はケーシング730中において符号741で示されているようにピボットで支持され、それによってセンサ表面701は＋ｒおよび−ｒ方向に揺動することが可能になる。センサ表面701と支持体740との間には、センサ表面701が常にあるニュートラルポジションに戻されるように、ばね731および732（隠されている）が取付けられている。＋ｒ方向におけるセンサ表面701の任意のロッキング運動により、センサ表面701は、それをニュートラルポジションに戻そうとするーｒ方向の力を受ける。
【００８８】
次に、ケーシング730はばね720、721、722および723（隠されている）によってプラットホーム710上に取付けられている。これらのばねはケーシング730を、したがってセンサ表面701をニュートラルｚポジションに戻す。−ｚ方向におけるセンサ表面701の任意の移動により、センサ表面701は、それをニュートラルポジションに戻そうとする＋ｚ方向の抵抗力に遭う。
【００８９】
プラットホーム710の上方突出セクション711上には、抵抗ストリップ712が取付けられている。金属ポインタ713はケーシング730の一側から延在し、抵抗ストリップ712に接触する。２本のワイヤ715および716は抵抗ストリップ712の両端部に接続され、１本のワイヤ714は金属ポインタ713に接続されている。抵抗ストリップ712、金属ポインタ713およびそれらの関連したワイヤ715、716および714は一緒に線形電位差計を形成し、この線形電位差計からセンサ表面のｚポジションが電気的に決定されることができる。
【００９０】
ロータリー電位差計760はケーシング730の反対側の、ピボット741に直接対向したピボットに取付けられているが、それは隠れていて見えない。この電位差計により、センサ表面701のｒポジションが決定されることが可能になる。
【００９１】
走査検索制御装置700を使用して文書またはコンピュータブック200中を移動するために移動方向コマンド101および移動速度コマンド102を発生する１つの方法は、これらのコマンドが図１２および６にそれぞれ示され、上述されたように走査検索制御装置500および600を使用して、すなわち、センサ表面701のｚ方向移動を使用して発生される方法の１つに類似している。走査検索制御装置700を使用して指定された地点へのジャンプコマンド103を発生する１つの方法は、図１３に示され、上述されたように走査検索制御装置600において使用された、すなわち、センサ表面701のｒ方向移動を使用する方法の１つに類似している。たとえば、＋ｒおよび−ｒ方向におけるセンサ表面701のロッキングは、たとえば、コンピュータブック200のたとえば、厚さ212上のジャンプカーソル241の移動を制御する。所望の地点が厚さ212上で選択された後、ジャンプが−ｚ方向におけるセンサ表面701の押下によって付勢される。
【００９２】
図１２の走査検索制御装置500において示されている第２の抵抗力領域を提供するために使用された構造（ばね557および小さいプラットホーム558）に類似した構造が走査検索制御装置700に追加されることができ、それによって走査検索制御装置500に対して上述された指定された地点へのジャンプコマンド103を発生する別の方法を提供することができる。
【００９３】
図１５は、基本的な機械的アクションモード308（図９）に基づいた走査検索制御装置800の１実施形態を示している。制御装置800は可動制御プラットホーム801を備えている。この制御プラットホーム801は、ユーザの親指または別の指あるいは器具がのせられるセンサ表面802に結合される。制御プラットホーム801とセンサ表面802は一緒に移動する。制御プラットホーム801に関連したメカニズムの残りのものおよびセンサ表面802は、図１２のカバー503に非常によく似たカバー（示されていない）により隠されているため、たとえば、走査検索制御装置800全体が走査検索装置100（図１）内に取付けられたとき、センサ表面802だけが見え、親指または別の器具がアクセスすることができる。センサ表面802は溝803がそこに形成され、あるいは別の摩擦材料がその上に被覆されており、それによってその上で動作する指または器具に摩擦が提供される。
【００９４】
プラットホーム801は、図１５に示されているように、ｘ方向に移動され、あるいはｒ方向に回転されることができる。このプラットホーム801は、フレーム810内においてｘ方向にスライドする。フレーム810の適切な内側上の溝（溝813のような）は、溝（溝813のような）中に適合するプラットホーム801からの適切な突出部品（図１５には示されていない）と共に、フレーム810内において移動するようにプラットホーム801を制約する。フレーム810内のばね811および812は、プラットホームがフレーム810の“上方”エッジ815上に接して位置したときのポジションであるニュートラルポジションにフレーム810を復位させるように機能する。正のｘ方向は図１５に示されているとおりである。プラットホーム801が親指または別の指あるいは器具によって正のｘ方向に移動されたとき、親指のｘ方向の力がプラットホーム801から取除かれ、プラットホーム801がそのニュートラルポジションに戻される（エッジ815に接して位置する）やいなや、ばね811および812が圧縮される。
【００９５】
図１５はさらに、ｘ方向におけるプラットホーム801の移動がフレーム810に対するプラットホーム801のｘポジション信号を発生するメカニズムを示している。フレーム810の１つのエッジ820上において、薄膜抵抗材料のストリップ822が被覆されている。可動プラットホーム801から突出した金属ポインタ823は抵抗ストリップ822に接触する。抵抗ストリップ822は金属ポインタ823と共に線形電位差計を形成し、この線形電位差計からプラットホーム801のｘ方向の位置が決定されることができる。非線形応答特性が所望された場合、抵抗値は非線形方式で変更されることができる。２本のワイヤ824および825が抵抗ストリップ822の両端部に接続され、１本のワイヤ826が金属ポインタ823に接続されている。これらのワイヤは、抵抗ストリップ822および金属ポインタ823によって電気信号が線形電位差計から読出されることを可能にする。
【００９６】
フレーム810はプラットホーム830上に取付けられており、このプラットホーム830は、それが軸835を中心として回転することを可能にされるようにその一方の端部が２つの支持体831および832上において２つの軸855および856により取付けられている。これらの支持体831および832は、プラットホーム830のニュートラル回転ポジションを規定するキャッチ845と共にプラットホーム840上に取付けられている。
【００９７】
ばね850および851は、それらがプラットホーム830を−ｒ方向に回転させるようにプラットホーム830の２つの軸855および856上に取付けられている。プラットホーム830のニュートラル角度位置はそのエッジの一方831がキャッチ845によって制止されたときの角度位置である。プラットホーム830は軸855によって回転電位差計860に結合されており、この回転電位差計860によりプラットホーム830の角度位置が測定されることが可能になる。
【００９８】
移動方向コマンド101および移動速度コマンド102を発生するために走査検索制御装置800のセンサ表面802を使用する１つの方法は次のとおりである。センサ表面802を軸835を中心として＋ｒ方向に迅速に回転して解放することにより基本的なページのフリッピングが付勢され、この走査検索制御装置800が図４中の走査検索制御装置164のような右側走査検索制御装置として取付けられている場合、それはコンピュータブック200（図６）の右側から左側へのページのフリッピングを示す（移動方向コマンド101）。センサ表面802が＋ｒ方向に回転され、しばらくのあいだ（たとえば、２００ｍ秒乃至２秒）保持された場合、２以上のフリッピングページ（202、203等）がコンピュータブック200（図６）において開始されることができる。フリッピングページ（202、203等）が開始されるインターバルはセンサ表面802の＋ｒ角度位置に反比例する。すなわち、センサ表面802をニュートラルポジションからさらに回転させることにより、多数のページ（202、203等）のフリッピングが行われるインターバルが短くなり、したがって多くのページが所定のインターバル中にフリップされ、したがって多くのページが任意の所定の時間にコンピュータブック200において進行し、したがって関与するコンピュータブック200または電子文書における速い移動となる（移動速度コマンド102）。ニュートラル角度位置からのセンサ表面802の小さい回転変位は、コンピュータブック200における遅い移動速度、したがって所定の時間にランチされる少ないフリッピングページ、したがって任意の所定の時間にコンピュータブック200において進行する少ないページ、およびしたがってコンピュータブック200における遅い移動に対応する。＋ｒ方向の力がセンサ表面802に与えられず、センサ表面802がニュートラルポジションに戻ったとき、新しいページはフリップされない（はじめにフリップされたページは、１つの動作モードでコンピュータブック200の反対側にフリップし続けることを可能にされる）。
【００９９】
走査検索制御装置800を使用する指定された地点へのジャンプコマンド103を発生する１つの方法は、図１２に示されている走査検索制御装置500に対して記載され、上述された、すなわち、センサ表面802のｘ方向移動を使用するものに類似している。
【０１００】
プラットホーム830の回転運動に対する第２の抵抗領域は、図１２に示されているばね557および小さいプラットホーム558より形成され、キャッチ845の近くにおいてプラットホーム830の一方のエッジ831のすぐ下に取付けられたものに類似した構造によって提供される。この第２の抵抗領域は、上記において走査検索制御装置500に対して記載されたものに類似した指定された地点へのジャンプコマンド103を発生する別の方法を提供することができる。
【０１０１】
２つの回転軸が関与する図１０に示されている基本的なカノニカル機械的アクションモード309を行うために、図１３に示されているローラ650に関連したメカニズムのようなローラメカニズムが図１５に示されている回転プラットホーム830に類似した回転プラットホーム上に取付けられることができる。このようにして２つの回転アクションが走査検索コマンド101乃至103のいくつか、または全てを発生するために利用可能にされる。
【０１０２】
図１６は、機械的センサ901のロッキングアクション（ｒ方向の）と組合せられた二重抵抗領域を使用して種々の走査検索コマンド101乃至103を発生する走査検索制御装置900を示している。この図１６には、関与するメカニズムをさらによく示すために走査検索制御装置900の“露出された”側図が示されている。
【０１０３】
機械的センサ901は、ピボット910によってある固定された構造（図１６には示されていない）に取付けられている。制御装置900の内部メカニズムはカバー905で覆われているために見えない。図１６に示されているように、機械的センサが結合バー911に堅牢に結合され、この結合バー911がばね920に取付けられている。機械的センサ901の＋ｒ方向における回転運動は、固定された構造915上に取付けられたばね920によって抵抗される。機械的センサのニュートラルポジションは、ばね920が全く伸びていないときのポジションである。ばねが伸びることにより、機械的センサをその回転ニュートラルポジションに戻す力が発生される。指または器具が機械的センサ901上で動作するのに都合のよい地点はその一方の端部902である。機械的センサ901の角度位置は、機械的センサ901の回転軸と同じ軸上に取付けられた回転電位差計930によって測定される。
【０１０４】
第１の抵抗領域は、結合バー911がニュートラルポジションから、それがプランジャー940と接触する地点までの空間を横断したときに生じる。この領域において、抵抗はばね920によって提供される。プランジャー940が接触されるやいなや、その軸上に取付けられたばね942は、機械的センサ901が＋ｒ方向にさらに回転することに抗う抵抗力をさらに提供する。プランジャー940のニュートラルポジションは、ばね942が全く圧縮されていないときのポジションである。プランジャー940の一方の端部および結合バー911の一方の端部にそれぞれ取付けられた金属コンタクト943および944は、第２の抵抗領域に入ったことを示す電気信号を供給するスイッチを構成する。ワイヤ945および946はコンタクト943および944に接続されて、電気信号が読取られることを可能にする。
【０１０５】
プランジャー940に取付けられた金属ポインタ950は、固定された構造915の一部分に固定された抵抗ストリップ951と接触する。２本のワイヤ961および962は抵抗ストリップ951の２つの端部に接続され、１本のワイヤ963は金属ポインタ950に接続されている。抵抗ストリップ951、金属ポインタ950およびそれらの関連したワイヤ961、962および963は一緒に、プランジャー940の線形変位が測定されることのできる線形電位差計を形成する。プランジャー940のそのニュートラルポジションからの線形変位は、機械的センサ901が第２の抵抗領域に入った後にこの機械的センサ901によりさらに行われる＋ｒ方向の角度移動に対応する。さらに多くのプランジャー／抵抗ストリップは、ばね942より長い、または短いばねと平行に追加されてもよいが、プランジャー940と平行に追加されてもよい。このような構造は多数の段階の抵抗が追加されることを可能にし、したがってユーザがセンサ901をそのニュートラルポジションから移動させ、それによってさらに多くのプランジャーと結合させたときに、第１のセンサ変位位置から第２の変位位置への電気信号値の変化のレートを増加させる。
【０１０６】
走査検索制御装置900を使用して種々の走査検索コマンド101乃至103を発生する１つの方法は、以下のとおりである。機械的センサ901の一方の端部902を迅速に押下げ、解放することにより、コンピュータブック200（図６）の１つのフリッピングページの開始が付勢される。端部902を押下げ、それを、たとえば、１００ｍ秒等のある時間量を超えて保持することにより、２以上のフリッピングページの連続的な開始がトリガーされ、その進行は機械的センサ901の＋ｒ方向における角変位によって決定される。変位が増加すると、それだけ一層多くのページが所定の時間にフリップされる（移動速度コマンド102）。
【０１０７】
指定された地点へのジャンプコマンド103を発生する１つの方法は、以下のとおりである。機械的センサ901はそのニュートラルポジションからスタートすると仮定する。ここで端部902を押下げる力が加えられて、結合バー911が第２の抵抗領域に入る（コンタクト943および944により形成されたスイッチの付勢によって示される）前に、第１の抵抗領域を十分迅速に（たとえば、１００ｍ秒以内で）横断すると仮定すると、コンピュータブック200（図６の）においてフリッピングページのランチングは生じない。その代りに、第２の抵抗領域に入った時点で、たとえば、右側ジャンプカーソル241が付勢される。（右側ジャンプカーソル241は、走査検索制御装置が図４に示されている走査検索装置160における走査検索制御装置164のような右側走査検索制御装置として使用された場合に付勢される。）右側ジャンプカーソル241は、それが付勢されるやいなや、コンピュータブック200の厚さ212上においてｘ方向に移動し始める。さらに、機械的センサ901を＋ｒおよび―ｒ方向に角度移動することにより、ジャンプ先であるコンピュータブック200または文書中の地点を選択するために、ジャンプカーソル241をコンピュータブック200の厚さ212上において＋ｘ（下方）方向および−ｘ（上方）方向にそれぞれ移動させることが可能になる。
【０１０８】
所望のジャンプ地点に到達したとき、ジャンプを付勢する１つの方法は、図４に示されている走査検索装置160の右側部品162上のボタン（174乃至177または184乃至187）の１つを押下することである。別の方法は、機械的センサ901の端部地点902の迅速な押下をその終点まで行うことであり、この終点においてプランジャー940はその変位の限界に達し、その時点でジャンプが付勢される。その代りに、“ダブルクリック”（またはトリプルクリックでも）のような機械的センサ901の２つの迅速な移動が使用されてもよい。さらに、制御装置がコンピュータにより使用されるため、ユーザは、ユーザによるどのようなアクションが予め定められた動作（一時に多数のページをフリップすることと、単一ページをフリップすること、のような）を構成するかについてユーザに好ましい設定をカストマイズしてもよい。機械的な限界に達したことを測定する１つの方法は、プランジャー940に関連した線形電位差計からある定まった抵抗値を読取ることである。この設定もまたユーザによってカストマイズされ、ユーザに好ましい値をカストマイズされた“感触”としてコンピュータ読出し可能なメモリ中に設定することができる。別の方法は、プランジャー940がその変位限界に達したときに付勢されるスイッチ（図１６には示されていない）を使用することである。この方法は、ユーザがセンサパラメータをカストマイズすることに決めた場合にデフォルト値を規定するために使用されてもよい。
【０１０９】
要約すると、上記の説明は、図１に示されている電気信号のタイプである走査検索コマンド101乃至104のいくつかまたは全てを発生するために、あるモード（たとえば、モード306乃至309の１つ）で移動する機械的センサ表面（たとえば、図７乃至１０における300乃至303の１つ）がどのようにして使用されることができるかを特定している。わずかな数の方法だけについて詳細に説明してきたが、一般に、ｘ、ｙ、ｚおよびｒ移動の任意の１つが走査検索コマンド101乃至104の任意の１つを発生するために使用されることができる。さらに、走査検索コマンド101乃至104を伝達する出力無線信号を生成するために埋込み送信機（ＩＲまたはＲＦ）が使用されてもよい。図１１に示されている二重抵抗メカニズムはまた、種々の走査検索コマンド101乃至104を発生するように基本モード306乃至309を補足するために使用されることができる。
【０１１０】
図１７は、コンピュータスクリーン上のコンピュータブック1000の基本的なフリップメカニズムを示している。左ページ1010および右ページ1011は、３つのページ1020、1021および1022が右側から左側へ同時にフリップされている期間中静止している。このブックにおける移動が速くなると、それだけ一層多くのページが同時にフリップされ、その逆もそうである。コンピュータブック1000中における移動速度はまた、各フリッピングページがコンピュータブック1000の右側から左側にフリップしているあいだのその移動速度に比例し、その逆もそうである。フリッピングページ1020、1021および1022がコンピュータブック1000の左側に達したとき、それらはそこで収集されて、コンピュータブック1000の左側の一部分を形成する。このコンピュータブックの両側の厚さ1005および1006は、その対応した側からページがなくなったため、あるいはそこにページが累積した結果、それに応じて変化する。
【０１１１】
図１８は、右側の厚さ1006上のジャンプカーソル1030または右側厚さ1006上のブックマーク1035のいずれかを付勢した結果としての基本的なジャンプメカニズムを示している。現在の右側ページ1011とジャンプ先であるページ1045との間のページの集合体は、コンピュータブック1000の右側から左側にフリップすることが示されている。したがって、右側ページ1011とジャンプ先であるページ1045との間のページ数に比例した厚さ1040がコンピュータブック1000上で移動することが示されている。
【０１１２】
図１７および１８に示されている基本的なフリップメカニズムは、図１２乃至１６に関連して上述された走査検索制御装置アクションにより行われることができる。
【０１１３】
図１９乃至３６およびこの明細書の最後に示されている表１は、以下さらに詳細に説明される走査検索制御コマンドを受取った結果としてのさらに複雑なページのフリップアクションを示している。
【０１１４】
図１９は、コンピュータブック1100の右側からその左側にフリップされているいくつかのページ（1110乃至1113等）を示している。（ページ1114および1115は依然コンピュータブック1100の右側上にのっている）。図１９における全てのページ（1110乃至1113等）のこのフリッピング状態からスタートすると、図２０は、全てのページ（1110乃至1113等）のフリップ方向がフリップしている最中に逆向きに変更されたことを示している。図１９における全てのページ（1110乃至1113等）のフリップ状態からスタートすると、図２１には、他のページ（1110乃至1112）がコンピュータブック1100の左側にフリップし続けているあいだに、追従ページ1113の方向がフリップしている最中に逆向きに変更されたことを示している。
【０１１５】
図１９における４ページ（1110乃至1113）が全てコンピュータブック1100においてフリップしている状態およびそれに続いてさらに少数のページ（1114および1115）が同じ方向に（右から左に）開始している状態からスタートすると、図２２のＡは、他のページ（1110、1111および1112）が右から左にフリップし続けているあいだに、追従ページ（1113、1114および1115）のグループのフリップ方向が逆向きに変更されて左から右に進行していることを示している。２組のページ（一方の1110乃至1112および他方の1113乃至1115）の間の領域1120は“オープンアップ”し始め、２組のページは逆向きにさらにフリップし続け、図２２のＢには、それら（一方の1110乃至1112および他方の1113乃至1115）の間の領域1121がさらにオープンアップしたことが示されている。
【０１１６】
ページのいくつか（1110乃至1112）が右から左にフリップしており、ページのいくつか（1113乃至1115）が左から右にフリップしている図２２のＢのコンピュータブック1100中で全てのページ（1110乃至1115）がフリップしている状態からスタートすると、図２３に示されているように、ある走査検索制御コマンドが与えられたとき、右側のページグループ（1113乃至1115）の追従ページ、すなわち、ページ1113のフリップ方向は、ページ（1114および1115）が左から右にフリップし続けているあいだに逆向きに変更されて右から左にフリップし、ページ1113とページ1114との間の領域1123がオープンアップし始める。
【０１１７】
ページのいくつか（1110乃至1112）が右から左にフリップしており、ページのいくつか（1113乃至1115）が左から右にフリップしている図２２のＢにおけるコンピュータブック1100中で全てのページ（1110乃至1115）がフリップしている状態からスタートすると、図２４に示されているように、ある走査検索制御コマンドが与えられたとき、右側のページのグループ（1113乃至1115）の追従ページのグループ（1113および1114）がフリップする方向は逆向きに変更されて右から左にフリップし、それによって徐々にオープンアップする領域1124が生成される。
【０１１８】
ページのいくつか（1110乃至1112）が右から左にフリップしており、ページのいくつか（1113乃至1115）が左から右にフリップしている図２２のＢにおけるコンピュータブック1100中で全てのページ（1110乃至1115）がフリップしている状態からスタートすると、図２５に示されているように、ある走査検索制御コマンドが与えられたとき、左側のページのグループ（1110乃至1112）の追従ページのグループ（1111および1112）がフリップする方向は逆向きに変更されて左から右にフリップし、それによって徐々にオープンアップする領域1125が生成される。
【０１１９】
図２６は、たとえば、図１９におけるコンピュータブック1100のフリッピング構成または図２０乃至２５におけるコンピュータブック1100のフリッピング構成の任意のものからスタートすると、全てのページがフリップするのを中止し、フリップしている最中に“フリーズ”させられたことを示している。
【０１２０】
ページがこのフリーズされた状態に入った後、それらは“フリーズ解除”されることができる。“フリーズ解除”後、４つの状況が存在する：１．ページがフリーズ解除され、その後個々のページがフリーズする前の方向にフリップし続ける；２．ページがフリーズ解除され、全てのページが同じ方向にフリップする；３．ページがフリーズ解除され、いくつかのページが右から左の方向にフリップしてブックの左側に位置し、いくつかのページが左から右の方向にフリップして右側に位置する；４．ページがフリーズ解除され、ページのサブグループが異なった方向にフリップする。
【０１２１】
図２７は、たとえば、図１８に示されているもののようなブックマークまたはジャンプカーソル付勢のいずれかによるジャンプ動作の結果として、最初にページの集まり1212が右から左にフリップされ、その後、いくつかの追従する単一のフリッピングページ1213乃至1215が続いて開始されることを示している。
【０１２２】
たとえば、フリップされているページの集合体1212がいくつかのフリップ中の単一のページ（1213乃至1215）により後続されている図２７のフリッピング構成からスタートすると、ページ1216をさらにフリップすることは、図２８に示されているように、図１８に示されているようなブックマークまたはジャンプカーソルのいずれかの付勢によるジャンプ動作の結果として付勢される。これに続いて、単一のフリッピングページおよび、またはフリッピングページの集合体の任意の組合せをさらにランチすることが可能である。単一のフリッピングページおよび、またはフリッピングページの集合体のこの組合せの全てまたはいくつかのサブグループが図２０乃至２６において単一のフリッピングページに対して説明されたものと類似した方式でフリップしている最中にフリーズすることを含むフリップ方向の後続的な変更およびその他の移動結果が可能である。すなわち、1212および1216のようなページの集合体は図２０乃至２６中の単一のページのように動作する。
【０１２３】
図２９のＡおよびＢは、フリッピングページを操作する保持およびフリップ方法を示している。最初に図２９のＡに示されているページ1306のようなページが、たとえば、コンピュータブック1300の右側上に静止している構成からスタートすると、ポインタ1310がページ1306をコンピュータブック1300の右側上の静止ポジションからピックアップし、その後、図２９のＢに示されているように、このページはポインタ1310によって右から左へまたは左から右へのどちらの方向にもフリップされる。このようにして、ページ1306の両側は、所望に応じて何度でも繰返し閲覧されることができる。
【０１２４】
“保持およびフリップ”モードに入る別の方法において、図３０は、フリッピングページ1404をフリップアクションの途中でピックアップするポインタ1410を示しており、このフリッピングページ1404は、図１９乃至２５に示されているフリッピング構成の１つにおけるフリッピングページまたは図２６に示されているようなフリーズされた状態のページであってもよい。その後、全てのページ1401乃至1403はその左側にフリップされ、全てのページ1405乃至1407はその右側にフリップされて、コンピュータブック1400の左側および右側上にそれぞれ静止し、終了する。その後、ピックアップされたページは保持およびフリップモードであちこちフリップ（フリップアバウト）され、閲覧されることができる。
【０１２５】
図３１は、コンピュータブック1500におけるページの集合体1503のピックアップおよび後続するフリップアバウトアクションを示している。これは、単一のページの代りにフリッピングページの集合体を操作する保持およびフリップ方法である。ページの集合体1503は、たとえば、この図２８に示されているような構成において、たとえば、コンピュータブック1500の右側等からのようにその静止状態から、あるいはフリップアクションの途中からピックアップされることができる。
【０１２６】
図３２は、２以上の単一のページ（たとえば、1603および1604）および、またはページの集合体（たとえば、1605）に適用される同時的な保持およびフリップアクションを示している。この保持およびフリップアクションには、いくつかのポインタ（1610乃至1612）を必然的に伴なう。
【０１２７】
図３３、３４Ａおよび３４Ｂは、コンピュータブック1700においてページを操作する保持および収集方法を示している。最初に、コンピュータブック1700中のページ1705はポインタ1710によってピックアップされる（ページ1705がコンピュータブック1700の右側または左側上に静止しているとき、あるいはそれがあるフリップアクションの途中であるときに）。その後、その左側および、または右側にフリップされているページ1720乃至1725は、それらが最初あるフリップアクションの途中であったのか、あるいはコンピュータブック1700の右側および、または左側上に静止していたのかにかかわらず、全てページ1705上に“収集”され、その結果図３３のＢ、３４Ａおよび３４Ｂに示されているページの集合体1706になる。その後、図３３のＢ、３４Ａおよび３４Ｂに示されているように、この集合体1706全体がフリップアバウトされることができる。
【０１２８】
図３５は、コンピュータブック1800におけるページを操作する保持および走査検索方法を示している。最初に、単一のページおよび、またはページの集合体1801がポインタ1810によってピックアップされる。その後、このページの集合体1801および右側厚さ1803は、これらの間のいくつかのページ（1805乃至1808のような）に対して全ての種類の走査検索およびフリップアクションが行われることのできる新しい“サブブック”になる。
【０１２９】
図３６は、２つのページの集合体（1801および1804）を伴なうコンピュータブック1800におけるページを操作する別の保持および走査検索方法を示している。２つのページの集合体1801および1804は２つのポインタ1810および1811によってそれぞれピックアップされる。その後、これら２つのページの集合体1801および1804は、これらの間のいくつかのページ（1805乃至1808のような）に対して全ての種類の走査検索およびフリップアクションが行われることのできる新しい“サブブック”になる。一般に、任意の２つのページおよび、またはページの集合体が、それらの間でいくつかのページの通常の走査検索およびフリップアクションが行われることのできる“サブブック”にされることが可能である。
【０１３０】
表１は、上述した基本的および複雑なフリップアクションを要約している。
【０１３１】
図１９乃至３８および表１に示されている複雑なフリップアクションは全て、図１２乃至１６に示されている走査検索制御装置の１つによって、あるいはマウスおよび、または別の指示および制御方法およびメカニズムと共同するこれらの走査検索制御装置の１つによって制御されることができる。
【０１３２】
図２０に示されているように全てのページ1110乃至1113がフリップする方向を変更するために、たとえば、図４の走査検索装置160の右側に取付けられた走査検索制御装置164の迅速押下および解放（たとえば、−ｚ方向における）によって発生された、たとえば、図１９に示されているコンピュータブック1100のページ1110乃至1113のフリップ状態からスタートすると、１つの方法は、図４の走査検索装置160の左側に取付けられた走査検索制御装置163の迅速押下および解放を行うことである。これは、フリップ方向を変更するために“抵抗する力”を与えることに似ている。左側走査検索制御装置163の後続的な迅速押下および解放は、コンピュータブック1100の左側からさらに多くのページをランチして左から右の方向にフリップさせることができる。
【０１３３】
全てのページ1110乃至1113の方向が逆にされるのではなく、図２１に示されているように、追従するページ1113の方向だけが逆にされることが所望されていると仮定すると、１つの方法は左側走査検索制御装置163をその最大押下限界まで迅速に（たとえば、１００ｍ秒以内で）押下げることである。これは、介在する全てのページ1110乃至1112をバイパスしながら追従ページ1113に対して“貫通する抵抗力”を与えることに似ている。
【０１３４】
図４のアクション、すなわち、“貫通する抵抗力”を発生する別の方法は、走査検索制御装置163のｙ方向の移動を使用することである。図４に示されているように、走査検索制御装置の、たとえば−ｚ方向における迅速押下および解放と組合せられた走査検索制御装置163のセンサ表面の、たとえばｙ方向におけるスライドにより、追従ページ1113の方向は逆にされる。
【０１３５】
ある動作モードにおいて、図４に示されている走査検索装置160の一側上の４つのブックマークボタンの全て、すなわち、ボタン174乃至177は、たとえば、図６に示されているコンピュータブック200の右側厚さ212上のブックマーク230乃至233等のブックマークを発生するために使用される。別の動作モードにおいて、おそらく、ボタンのうち、たとえばボタン174および175等の２つのだけがブックマークのために使用され、たとえばボタン176および177等の他の２つのボタンは別の動作のために使用される。図２１に示されている追従ページのフリップ方向を逆にする動作を行う１つの方法は、走査検索制御装置163の迅速押下および解放と組合せられた、走査検索装置160の左側上のブックマークのために使用されないこれらのボタンのうちの１つ、たとえばボタン172の押下および保持を使用することである。これは、“貫通する抵抗力”を発生するさらに別の方法である。
【０１３６】
図２２のＡに示されている追従ページ1113乃至1115のような追従ページのグループのフリップ方向を逆にする１つの方法は、方向が逆にされるページの数と同じ回数連続して“貫通する抵抗力”を発生することである。たとえば、図２２のＡに示されているように、方向が逆にされる３つのページ1113乃至1115が存在している場合、図４の走査検索装置160の左側走査検索制御装置163を３回連続して迅速にその許容可能な最大押下限界まで押下し、解放することにより、３つの連続した“貫通する抵抗力”がページ1113乃至1115に与えられ、それらがフリップする方向が逆にされ、それによってページ1112と1113との間の領域1120がオープンアップされる。
【０１３７】
たとえば、トラックポイント（たとえば、ＩＢＭノートブックモデル７６５Ｄに設置されているトラックポイント）またはマウス等のポインティング装置がその関連したボタンと共に利用でき、それが、たとえば、走査検索装置160上に好ましく取付けられているために、指が走査検索装置160上の走査検索制御装置（163および164）およびボタン（170乃至177および180乃至187）だけでなくそのポインティング装置を同時に制御できる場合、図２２のＡに示されている動作を行う１つの方法は“オープンアップ”されるべき領域、すなわち図２２のＡに示されている領域1120上にポインタ（“マウスカーソル”）を移動するためにポインティング装置を使用し、ポインティング装置に関連したボタン（すなわち、“マウスボタン”）上でクリックする通常の方法を使用してアクションを行うことである。
【０１３８】
図２３乃至２５に示されている１以上のフリッピングページの方向は、“貫通する抵抗力”を発生する上記の方法の１つによって、あるいは“オープンアップ”されるべき正確な領域を示すためにポインティング装置を使用することによってさらに変更されることができる。
【０１３９】
図２６に示されているようにフリップしている最中のページ1110乃至1115をフリーズする１つの方法は、“大きさが同じで向きが逆の”力を両フリップ方向において（すなわち、右から左へおよび左から右へ）発生させることである。これを行う１つの方法は、図４に示されている走査検索装置160上の両走査検索制御装置163および164を押下して保持するか、あるいは押下して解放することによってそれらを同時に付勢することである。
【０１４０】
いくつかのページ1213乃至1215がフリッピングページの集合体1212に後続する図２７に示されている動作を行う１つの方法は、上記に示された方法を使用してジャンプ動作によりページの集合体1212をフリップさせた後、コンピュータブック1200においてページの集合体1212が依然フリップしている最中に、たとえば、走査検索装置160の右側の走査検索制御装置164の迅速な押下および解放を連続的に行うこと等により上述の連続したフリッピングページをランチする方法の１つを使用して後続する連続したフリッピングページをランチすることである。
【０１４１】
コンピュータブック1200においてフリッピングページの第１の集合体1212およびいくつかの追従する単一ページ1213乃至1215がまだフリップしている最中にフリッピングページの第２の集合体1216がランチされる図２８に示されている動作を行うために、上述された方法の１つを使用して、コンピュータブック1200の右側からランチされたフリッピングページの第２の集合体1216へのジャンプカーソルまたはブックマークの使用を伴なうジャンプ動作が行われることができる。
【０１４２】
図２９のＡおよびＢに示されている保持およびフリップアクションを行う１つの方法は、図２９のＡのコンピュータブック1300の左および右ページ1305および1306の両方がコンピュータブック1300の左側および右側上のそれらの各ポジションにおいて静止しているときに、図４に示されている走査検索装置160の、たとえば、右側の走査検索制御装置164のｙ方向移動を使用してページ1306の“ピックアップ”を行うことである。その後、“ページを保持する”モードに入り、その保持されたページ1306が自動的にコンピュータブック1300の反対側にフリップすることを可能にするのではなく、それを後方および前方に移動するために、走査検索装置160上の左側および右側走査検索制御装置（163および164）の両者を同時に（５０ｍ秒以内）押下することにより“平衡抵抗力”モードが生成されることが可能であり、その後、どちらの走査検索制御装置（163または164）が強い力を有しているか（たとえば、さらに下方に押下されたか）に応じて、保持されたページ1310はゆっくりフリップし（すなわち、コンピュータブック1300全体におけるフリップアクションを終了しない）、これは、その走査検索制御装置のポジションとは逆の方向に行われる（すなわち、走査検索制御装置163が強い“力”を有している場合、保持されたページ1310は左から右にゆっくりフリップする）。
【０１４３】
ページ1306をピックアップする別の方法は、ブックマーク動作のために使用されていない対応した側上のブックマークボタン（たとえば、ボタン174乃至177または184乃至187の１つ）を使用することである。ページ1306をピックアップするさらに別の方法はポインティング装置を使用して、たとえば、ページ1306の右側ボタンの隅を指示し、そのポインティング装置と関連したボタンのクリックを行うことである。その後、そのページは、走査検索装置160上の走査検索制御装置163および164を使用するか、あるいはポインティング装置と関連したカーソルの移動を使用する（すなわち、カーソルがコンピュータスクリーン上を左または右に移動し、たとえば、保持されたページ1306の右端が位置決めされなければならないことを示すことができる）ことにより、上述の“平衡抵抗力”方法を使用して後方および前方に移動されることができる。
【０１４４】
その他全てのフリッピングページ（1401乃至1403、1405乃至1407）の中のフリッピングページ1404をそのフリップ途中で選択して保持し、その後その別のページを図３０に示されているようにそれらの各側に位置させる１つの方法は、走査検索制御装置（たとえば、図４に示されている走査検索装置160の右側の走査検索制御装置164）の複数回のｙ方向の移動（たとえば、−ｙ方向移動）を使用して、所望のページ1404とコンピュータブック1400の右側厚さとの間に介在しているページの数を示し、それらをスキップにより通過し、所望のページ1404をピックアップすることである。別の方法は、ポインティング装置のカーソルを使用して所望のページ1404を指示し、これを選択することである。
【０１４５】
図３１に示されているページの集合体1503に対して保持およびフリップモードに入る１つの方法は、最初に、たとえば、図４に示されている走査検索装置160の右側の走査検索制御装置164のーｙ方向移動を使用して“保持およびフリップ”モードに入ったことを示し、その後コンピュータブック1500の右側厚さ1521上におけるジャンプ先のページを選択するために上述した方法の１つを使用する、すなわち、ジャンプカーソルまたはブックマークを使用することにより、ページの集合体1503がその後“ピックアップ”され、単一の“ピックアップ”されて保持されたページを移動する上述の方法の１つを使用して後方および前方に移動されることができる。別の方法はポインティング装置を使用して、コンピュータブック1500の右側厚さ1521のボタンの右隅に配置された専用の“保持およびフリップ”ジャンプカーソルを付勢することである。このジャンプカーソルを使用することにより、右側厚さ1521上のどのポジションでも選択されることができ、ジャンプが付勢されたとき、その後の右側のページと“ジャンプ先”のページとの間のページの集合体1503は典型的なジャンプ動作の場合のようにコンピュータブック1500の反対側に自動的にフリップされることはなく、その代りに、それはポインティング装置によって“保持”され、所望に応じてコンピュータブック1500中を後方および前方に移動されることができる。
【０１４６】
単一のページまたはページの集合体がピックアップされ、“保持およびフリップ”モードで保持された後、このモードを出るために、保持されたページまたはページの集合体はその左限界または右限界に達するまでフリップされ、ページまたはページの集合体をこのブックの各側に戻すことが所望されていることを示すことができる。
【０１４７】
上述された単一のページまたはページの集合体を“保持およびフリップ”する方法は、１以上の単一のページまたはページの集合体が依然として保持およびフリップモードであり、２以上の単一のページまたはページの集合体が保持およびフリップモードである図３２に示されている構成が生成されているあいだ、繰返し適用されることができる。
【０１４８】
図３３のＡおよびＢに示されている保持および収集モードに入るために、上述の方法の１つを使用して保持およびフリップに入った後、上述されたページフリッピング方法の１つを使用して、コンピュータブック1700の左側から右側に、あるいはその逆にページをフリップするフリップアクションが付勢される。これらのフリッピングページは、コンピュータブック1700中をフリップするのではなく、その代りに“保持”されているページ1705において収集する。続いて、上述した方法の１つにより、図３３のＢに示されているそのページの集合体1706の後方および前方移動が行われることができる。
【０１４９】
保持および収集モードに入ってから図３３のＢに示されているいくつかのページを収集した後、ページはそのページの集合体から解放されることができる。図３４Ａに示されているように、ページ1730乃至1733は集合体1707から解放されてコンピュータブック1700の各側に戻されている。図３４Ａに示されている保持されたページの集合体1707はまた、分割を行うべき収集された厚さ上の地点を選択するためにジャンプカーソルに類似したものを使用して“分割”されることができる。図３４Ｂは、保持されたページの集合体を２つのページの集合体1708および1709に分割するアクションを示している。図３４Ｂはまた、保持されたページの集合体から初期に解放された別のページ1740乃至1742を示している。
【０１５０】
単一のページまたはページの集合体1801が“保持およびフリップ”モードに入った後、“保持および走査検索”モードに入ることができ、このモードでは、その保持された単一のページまたはページの集合体1801がコンピュータブック1800の１つの側1802と同様に動作し、通常左側厚さ1802と右側厚さ1803との間で行われることのできる全てのアクションが、図３５に示されているように、保持されたページの集合体1801と右側厚さ1803との間で行われることができる。“保持およびフリップ”モードに入った後に“保持および走査検索”モードに入る１つの方法は、コンピュータスクリーン上の関連したカーソルを備えたポインティング装置を使用して、保持されたページの集合体1801および右側厚さ1803上でクリックすることである。これによって、保持および走査検索モードに入リ、保持されたページの集合体1801と右側厚さ1803との間に“サブブック”が生成され、その間ではページをフリップすることに関連した通常の動作の全てが行われることができることが示される。保持および走査検索モードを出るために、保持されたページの集合体1801および右側厚さ1803上で再びクリックが行われる。
【０１５１】
１以上のページの集合体が保持および走査検索モードである期間中に保持および走査検索方法を繰返し適用することにより、図３６に示されている反復的“サブブック”が生成されることができる。
【０１５２】
図１９乃至３６および表１に示されている複雑なフリップアクションの全てを行うために、１以上の走査検索制御装置（図１２乃至１６に示され、図４に示されている走査検索装置160上に取付けられた走査検索制御装置のような）の全ての基本的な入力方向（ｘ、ｙ、ｚ方向、あるいは回転またはロッキング入力のためのｒ方向）および走査検索装置のブックマークボタン（図４に示されている走査検索装置160上のブックマークボタン170乃至177および180乃至187のような）はポインティング装置およびその関連したスクリーンカーソルと共に、上述された方法と組合せられて、あるいは別の方法との別の組合せで使用されることができる。
【０１５３】
図３７乃至３９は、図１０乃至１９に示されている種々の基本的および複雑なフリップアクションを行うスクリーン制御方法を示している。
【０１５４】
図３７は、ページをランチし、選択されたページにジャンプする基本的なアクションを行なう１つのスクリーン制御方法を示している。基本的に、ブック状のインターフェース2001が存在するスクリーン2000は、種々の基本的フリップアクションの付勢および制御のための種々のエリアに分割されている。コンピュータブック2001は左側の静止ページ2010および右側の静止ページ2011、左側厚さ2020および右側厚さ2021、左下厚さ2022および右下厚さ2023、左側ジャンプカーソル2030および右側ジャンプカーソル2031、左下ジャンプカーソル2032ならびに右下ジャンプカーソル2033を有している。左側静止ページ2010の輪郭によって規定されたエリアは左側ページランチングエリア2040であり、右側静止ページ2011の輪郭によって規定されたエリアは右側ページランチングエリア2041である。左側厚さ2020の輪郭によって規定されたエリアは左側ジャンプ制御エリア2042であり、右側厚さ2021の輪郭によって規定されたエリアは右側ジャンプ制御エリア2043である。左下厚さ2022の輪郭によって規定されたエリアは左下ジャンプ制御エリア2044であり、右下厚さ2023の輪郭によって規定されたエリアは右下ジャンプ制御エリア2045である。
【０１５５】
これらのスクリーン制御エリアは2040乃至2045は、ポインティング装置（たとえば、コンピュータマウス）により制御されたスクリーン2000上のカーソルにより、あるいはスクリーン2000上に配置され、指または別の器具によって選択されて付勢されるタッチスクリーンにより選択され、付勢されることができる。
【０１５６】
左側および右側ページランチングエリア2040および2041を使用する１つの方法は、関与するエリアの各付勢ごとに対応した側からの１つのページを各方向にランチする（すなわち、左側のエリア2040からランチされたページは左から右にフリップし、その逆もそうである）ことである。所定の時間内にさらに多くの付勢が行われた場合、さらに多くのページが所定の時間内にランチされ、コンピュータブック2001において提供される。ポインティング装置が使用された場合、この付勢はカーソルを対応したエリア（2040または2041）内に置いて、関連したポインティング装置のボタン（たとえば、Ｍｉｃｒｏｓｏｆｔ社のＩｎｔｅｌｌｉＭｏｕｓｅ（登録商標）のようなＰＣタイプのコンピュータマウスの左ボタン）をクリックすることによって行われる。タッチスクリーンが使用された場合、この付勢は対応したエリア2040または2041内において指または器具のいずれかによりスクリーン上に与えられた圧力によって行われる。
【０１５７】
左側および右側ジャンプ制御エリア2042および2043を使用する1つの方法は、ポインティング装置を使用して各ジャンプカーソル2030および2031を指示して選択し、付勢するか、あるいはタッチスクリーンが利用可能である場合には、各カーソル2030および2031によって占有されたエリア内において指または器具のいずれかによりスクリーン上に与えられる圧力を使用してそれらを選択し、移動し、付勢することである。左下および右下ジャンプカーソルエリア2044および2045は同様にして付勢されることができる。
【０１５８】
全てのジャンプカーソルエリア2042乃至2045はまた、これらのエリア内に位置されていることが多く、それらがブックマークしているコンピュータブック2001中の地点を示す図６に示されているブックマーク（220乃至223、230乃至233）に類似したブックマークによって付勢されることができる。１つの方法は、ポインティング装置を使用してこれらのブックマークを指示して選択し、付勢し、それによってブックマークされたページへのジャンプを付勢することである。別の方法は、タッチスクリーンが利用可能である場合、指または器具のいずれかを使用してブックマークによって占有された各エリア上に圧力を与え、それらを選択して付勢することである。
【０１５９】
図３８および３９は、図１７乃至３６および表１に示されている基本的および複雑なフリップアクションのいくつかまたは全てを行うコマンドを発生する別のスクリーン制御方法を示している。
【０１６０】
厚さ上の制御エリア、すなわち、左側ジャンプ制御エリア2110、右側ジャンプ制御エリア2111、左下ジャンプ制御エリア2112、および右下ジャンプ制御エリア2113は、図３７に示されて上述されたそれらの対応したジャンプ制御エリア2042乃至2045と同じ方式で使用される。
【０１６１】
左側ページランチングエリア2120および右側ページランチングエリア2121は、各エリアに関して位置決定されたポインティング装置およびそれに続くポインティング装置に関連したボタンのクリックによって、あるいはタッチスクリーンが利用可能である場合には、各エリア内における指または器具の位置決定および加圧によって付勢される。これらのページランチングエリア2120および2121は、コンピュータブック2001の左および右の開かれたページ（2102および2103）のそれぞれによって占有されるエリアより小さい。それは、これらのエリアの一部分が以下に説明する別の制御のために確保されているためである。
【０１６２】
これらのページランチングエリア2120および2121は、図４に示されている走査検索装置160上の左側および右側走査検索制御装置（163および164）が図11乃至19に示されているページの種々の複雑なフリップアクションを制御するために使用される全く同じ方式で、ページを制御するために使用されることができる。たとえば、制御エリア2120および2121の各付勢は、走査検索制御装置163および164の各押下および解放に類似している。したがって、ページは同様にある方向に、ある頻度でランチされることができ、それらの方向は適切なページランチングエリア2120および2121の付勢によって変更されることができる。
【０１６３】
ページの上方部分2102および2103には、ページ領域開制御エリア2140がある。図３９は、このエリアの動作を詳細に示している。
【０１６４】
ページ領域開アクションは、たとえば、あるページまたはページのグループが選択され、コンピュータスクリーン上でフリップしている最中にそれらのフリッピング方向が逆にされる図２１、２２のＡおよびＢに示されているフリップアクションに似ている。この結果、たとえば、図２２のＢに示されているように、領域1121の“オープンアップ”が発生する。
【０１６５】
図３９は、４つのページ2211乃至2214が右から左にフリップしており、２つのページ2210および2215がコンピュータブック2201の左側および右側にそれぞれ静止しているコンピュータスクリーン2200上のコンピュータブック2201を示している。図３８に示されているコンピュータブック2201の上方部分のページ領域開制御エリア2140は、図３８ではフリップしているページは示されていないが、ここでは図３９に示されているように、コンピュータブック2201中の５つのエリア、すなわち、エリア2220乃至2224に分割されている。これらの制御エリア2220乃至2224はそれぞれ、２つの連続したフリッピングページまたは１つのフリッピングページと静止しているページ2210および2215の一方との間の領域を制御する。たとえば、エリア2223はフリッピングページ2213および2214の間の領域を制御し、エリア2220は１つの静止しているページ2210と１つのフリッピングページ2211との間の領域を制御する。したがって、左境界ページおよび右境界ページは各制御エリアと関連付けられている。たとえば、制御エリア2221は左境界ページ2211および右境界ページ2212を有している。
【０１６６】
これらのページ領域開制御エリア2220乃至2224の動作は次のとおりである。あるエリア内において付勢が行われた（たとえば、選択および付勢のためにポインティング装置を使用して、あるいはタッチスクリーンを使用して）場合、左境界ページは、その元のフリップ方向が左から右の方向である場合、そのフリップ方向を右から左の方向に変更し、その元のフリップ方向が右から左の方向である場合には同じ方向のフリップを続ける。右境界ページも同様である（たとえば、ページは、その元のフリップ方向が右から左の方向である場合、そのフリップ方向を左から右の方向に変更し、その元のフリップ方向が左から右の方向である場合には同じ方向のフリップを続ける）。これらの動作の結果、左境界ページと右境界ページと間の対応した領域は、図２２のＢに示されているものと同様に“オープンアップ”する。たとえば、選択されたエリアがエリア2221であるならば、その左境界ページ2211は右から左にフリップし続けるが、しかしその右境界ページ2212はそのフリップ方向を左から右に変更し、それによって領域2221をオープンアップする。
【０１６７】
スクリーン制御方法は、単一のフリッピングページの速度を制御する新しい方法を実施するために使用されることができる。前に、たとえば、図１０Ａにおけるコンピュータブック1000のような、コンピュータブック中での移動速度を特徴付ける２つの方法があることを述べた。移動速度は、ページがコンピュータブック1000の一方の側から他方の側に、あるいはこれらの両者が組合せられてフリップしたときに、コンピュータブック1000において同時にフリップされるページの数（たとえば、ページ1020乃至1022）によって特徴付けられることができる。上述したように、任意の所定の時間インターバルでランチされるページの数および、したがって、コンピュータブック1000中を移動する速度を変更する１つの方法は、フリップする走査検索制御装置の移動の１つ（たとえば、図５乃至９に示されているものの１つ）を使用することである。別の方法は、たとえば、図２１に示されているエリア2120または2121を使用することによりスクリーン制御方法を使用することである。すなわち、表示されているコンピュータブック2101上でタッチスクリーンが利用可能である場合、対応したエリア（フリップを意図する方向に応じて、2120または2121）上で指または器具を使用して所定の時間インターバルに行うタッピングの頻度が高くなると、そのインターバル中にランチされるページの数が増加し、したがってコンピュータブック2101を移動する速度が高くなり、これの逆もそうである。タッチスクリーンが利用できない場合、ポインティング装置およびスクリーン2100上のカーソルが使用されることもでき、エリア2120または2121内での“クリック”アクションが類似の結果を達成する。ここでは、タップまたはクリックされることのできる広いスペースがエリア2120または2121内に存在する。コンピュータブック2101においてフリップする個々のページの移動速度を制御する別の方法は、フリップ移動の速度を、エリア2120または2121のどちらの部分がクリックまたはタップされるかに依存させることである。すなわち、エリア2120または2121内で一度クリックするか、あるいは一度タップすることによりページがランチされるが、しかし、クリックまたはタップが行われたエリア2120または2121内の位置がコンピュータブック2101においてランチされたページのフリップ移動の速度を決定する。このようにして、コンピュータブック2101における移動速度の非常に迅速な変更は、各ページがフリップする速度および所定のインターバル中にランチされるページの数を迅速に変更することにより行われることができる。
【０１６８】
スクリーン制御方法は、図１９乃至３６および表１に示されている複雑なフリップアクションのいくつかまたは全てを行うために走査検索制御装置（たとえば、図４に示されている走査検索装置160における走査検索制御装置163および164）を使用して上述の方法と共に使用されることができる。
【０１６９】
スクリーン制御方法の別の実施形態では、種々の基本的および複雑なアクションを制御するためにスクリーン上の種々のエリアが交換可能に使用され、別々にマップされることができる。
【０１７０】
図４０には、コンピュータブック2300中のある種のカールされたフリッピングページ（たとえば、ページ2315および2325）が示されており、そのページの両面（ページ2315に対して面2316および2317、ページ2325に対しては面2326および2327）が見えている。これによって、任意の所定の時間に見られる情報の量を増加させると同時に、ページ間における情報の視覚的連続性をさらによいものにすることができる。
【０１７１】
図４１は、微細ジャンプカーソル制御のメカニズムを示している。ジャンプカーソル2415が移動する厚さ2402上のディスクリートなステップの数より多いページがコンピュータブック2400の右側に存在している場合、コンピュータスクリーンの限界解像度のために、コンピュータブック2400の厚さ、たとえば、右側厚さ2402は、ジャンプカーソル2415がコンピュータブック2400の右側上の任意の所望のページを選択するのに十分に分離した地点を有しない可能性がある。これを克服する１つの方法は、ジャンプカーソル2415が多数のディスクリートなステップ2411を通って両方向2417および2418に進行することを可能にするエリア2410をこの厚さ2402内に生成することである。微細ジャンプカーソル制御メカニズムは、ジャンプカーソル2415が、たとえば、厚さ2402上のある地点に位置したときに始まる。その地点がコンピュータブック2400の中のあるページＸに対応していると仮定する。ジャンプカーソル2415が厚さ2402上において位置することのできる次の分離したステップは、コンピュータブック2400の中のあるページＹに対応する。ここで、ＸおよびＹは連続したページではなく、それらの間には、最初は厚さ2402上ではジャンプカーソル2415が直接アクセスできない多数のページが存在していると仮定する。このとき、微細ジャンプカーソル制御メカニズムが起動されることができる。ジャンプカーソル2415を取り巻く微細ジャンプカーソル制御エリア2410が生成され、このエリア2410内における方向2417および2418のジャンプカーソル2415の移動はページＸおよびＹの間に介在しているページを通って進行し、したがって所望のジャンプ先のページを選択することが可能になる。
【０１７２】
微細ジャンプカーソル制御モードに入る、すなわち、微細ジャンプカーソル制御エリア2410が生成されることを示す１つの方法は、コンピュータマウスボタンクリックを使用することである。その代わり、厚さ2402上でのジャンプカーソルの移動の速度が使用されることができる。所望のジャンプ先のページを選択するためにジャンプカーソル2415が厚さ2402を上方または下方に移動しているとき、そのジャンプカーソル2415の移動速度は通常ある定まった速度である。この速度がある値より下に低下したとき、あるいは速度がゼロに減速したとき、すなわち、ジャンプカーソル2415が厚さ2402上でその移動を中止したとき、微細ジャンプカーソル制御モードに入ることができ、微細ジャンプカーソル制御のためにジャンプカーソル2415の周囲に微細ジャンプカーソル制御エリア2410が生成されることができる。微細ジャンプカーソル制御モードを出るために、すなわち、微細ジャンプカーソル制御エリア2410を除去してジャンプカーソルを通常の厚さエリア2402に戻す１つの方法は、コンピュータマウスボタンクリックを使用することである。その代わり、微細ジャンプカーソル制御エリア2410上でのジャンプカーソル2415の移動速度が使用されることができる。微細ジャンプカーソル制御エリア2410上での方向2417または2418におけるジャンプカーソル2415の移動速度がある速度を越えた場合、微細ジャンプカーソル制御エリア2410は消えて、ジャンプカーソル2415は厚さ2402の適切な地点に戻る。
【０１７３】
図４２は、片側だけのブック・インターフェース表示2500を示している。図６に示されているコンピュータブック200の場合のように完全に見ることのできるブックの、たとえば、左側を表示する代りに、コンピュータブック2500はその左側が傾斜されてほとんど垂直にされている。その側には、通常の静止したページ2530が表示されてもよい。同様に、左側の厚さ2510およびその対応したジャンプカーソル2520ならびに左下厚さ2512が表示されることができる。コンピュータブック2500の右側は、通常の静止したページ2531、右側厚さ2511およびその対応したジャンプカーソル2521ならびに右下厚さ2513を有している。いくつかのフリッピングページ2532乃至2534が右から左にフリップし、続いてコンピュータブック2500の左側に同化することが示されている。上述した全ての基本的および複雑なフリップアクションは、この片側だけのコンピュータブック2500に対して同様に適用されることができる。コンピュータスクリーンのスペースが限られている場合、片側だけのコンピュータブック表示2500が有用である。
【０１７４】
図４３は、さらに別の片側だけのブック・インターフェース表示2600を示している。このブックの左側は、図４２に示されているコンピュータブック2500の場合のようにコンピュータブック2600の中心線に向かった内側に傾斜するのではなく、外側に傾斜する。通常の左側および右側厚さ2610および2611、対応した左側および右側ジャンプカーソル2620および2621、通常の左下および右下厚さ2612および2613、左および右静止ページ2630および2631、ならびにフリッピングページ2632乃至2634の全てがコンピュータブック2600上に存在している。
【０１７５】
市販の入手可能なコンピュータハードウェアおよびソフトウェアを使用することにより、パーソナル（たとえば、ラップトップ）コンピュータ上の半導体、磁気、光学または他の媒体中に記憶されている文書から、Ｗｉｎｄｏｗｓ９５（登録商標）オペレーティングシステムにおけるテキストファイルのようなテキストファイルの形態でフリッピングページを発生する１つの方法はいくつかのステップを必然的に伴なう。最初に、たとえば、コンピュータ上で動作するＭｉｃｒｏｓｏｆｔ社製のパーツ番号６２３０６のＭｉｃｒｏｓｏｆｔ（登録商標）Ｗｏｒｄ  Ｖｅｒｓｉｏｎ７．０のようなワード処理ソフトウェアを使用して、テキストファイルの内容がコンピュータスクリーン（パーツ番号９６Ｇ１５９３のＩＢＭカラーモニタＧ５０のような）上に表示される。スクリーンダンプに記憶されているコンピュータスクリーン上のイメージは、キーボード（パーツ番号０６Ｈ９７４２のＩＢＭキーボードのような）上の“プリントスクリーン”キーを使用してクリップボード中に入れられることができる。このクリップボードは、ソフトウェアにより提供される“ペースト”コマンドを使用して、コンピュータ上で実行するＶｉｓｉｏｎｅｅｒ  Ｃｏｍｍｕｎｉｃａｔｉｏｎｓ社（Ｐａｌｏ  Ａｌｔｏ，Ｃａｌｉｆｏｒｎｉａ）製のパーツ番号Ｃ１１３２−９００００であるＶｉｓｉｏｎｅｅｒ  ＰａｐｅｒＰｏｒｔ（登録商標）のようなグラフィックスソフトウェアにイメージファイルとしてインポートされ、その後エクスポートされて、たとえばＴＩＦＦフォーマットでイメージファイルとして記憶されることができる。その後、コンピュータ上で動作するＡｄｏｂｅ  Ｓｙｓｔｅｍｓ社（Ｍｏｕｎｔａｉｎ  Ｖｉｅｗ，Ｃａｌｉｆｏｒｎｉａ）製のパーツ番号０２９７０１０３のＡｄｏｂｅ  Ｐｒｅｍｉｅｒ（登録商標）４．０のようなビデオ編集／映画制作ソフトウェアを使用して、それぞれがその文書の１ページを含むＴＩＦＦファイルがそのソフトウェア中にインポートされることができ、そのソフトウェアによって提供されるモーションコマンドおよび重畳機能を使用して、フリッピングページの“映画”が発生されることができ、必要とされた場合には、エクスポートされ、．ＡＶＩファイルのようなモーションピクチャーフォーマットで記憶されることができる。
【０１７６】
本発明のために、現在入手可能なソフトウェアを使用して既存の文書ファイルからフリッピングページを発生する上述の種々のコンポーネント／動作は、あるコンピュータから次のものに便利にポート（ｐｏｒｔ）されることができ、必要とされる人間の介入が最小である単一のソフトウェアプロセスに統合されることが好ましい。別の方法は既存の文書ファイルから直接読出して、全てのページに対して必要なイメージを発生し、その後これらのイメージからフリッピングページの“モーションピクチャー”を生成することである。文書中を任意の選択された速度で前方および後方に移動するために、ソフトウェアビデオプレーヤ（Ｍｉｃｒｏｓｏｆｔ社製のＷｉｎｄｏｗｓ（登録商標）用Ｖｉｄｅｏのような）を使用してモーションピクチャーファイル（．ＡＶＩフォーマットのもののような）を見たときの、任意の選択された速度での前進および逆進に類似したメカニズムが使用される。厚さ210および212（図６）、ブックマーク220乃至223および230乃至233（図６）、ならびにブックマーク動作等の別の特徴もまた含まれている。
【０１７７】
オフザシェルフハードウェアおよびソフトウェアを使用してフリップ／フラッシュ／スクロール等の効果を発生させることが好ましいが、等価な機能を行うためにカストマイズされたハードウェアおよびソフトウェアが使用されることができる。
【０１７８】
上述されたコンピュータはまた、制御装置が接続しているコンピュータであってもよく、ユーザによるカストマイズ可能な設定をその制御装置上に提供するために構成ソフトウェアをホストしてもよい。たとえば、あるユーザは、第１の機能（予め定められた数のフリッピングページをランチする等）を始動するために全モーション範囲の２５％だけ制御装置プラットホームを押下げることを所望し、一方別のユーザは５０％の設定で同じことをするほうを好む。これらの設定は最初に、制御装置がはじめて使用された（あるいは、後にユーザによってリクエストされた）ときに実行されるコンピュータ実施較正およびお好み設定プログラムによって設定されることができる。このプログラムは、ユーザが規定したパラメータ（上記の２５％または５０％のような）のリストをメモリ中に保管し、このリストはその後、実際にそのユーザに対する走査検索動作を実施したときに使用される。別のユーザに対して別のユーザプロファイルがメモリ中に保管されることができるので、各ユーザは、制御装置を使用したときに、彼または彼女のプロファイルを使用可能にすることができる。
【０１７９】
図４４は、コンピュータ上でホストされるソフトウェアコンポーネントである完全な走査検索装置2700の１実施形態を示している。このシステム2700には、変換ソフトウェア2710（たとえば、“Ｃプログラミング言語”でコード化されたコンピュータプログラム）が設けられており、この変換ソフトウェア2710は、コンピュータに記憶されていて見られることとなる文書2701を、それがどのような既存の形式（たとえば、Ｗｉｎｄｏｗｓ（登録商標）９５動作環境でハードディスクに記憶されたテキストファイルの形式のような）のものであろうと、上述したように文書中を移動する図１７乃至３６および表１に示された方法の１つを可能にするか、あるいは走査検索装置2740と共同して（図１２乃至１７に示された走査検索制御装置の１つを使用して）実施されて使用される別の方法を可能にする形式2711に予め変換する。コンピュータ上では既存の形式である文書2701はまた迅速に変換されることができるが、これには、要求される動作速度を達成するために専用のハードウェアが必要になる可能性がある。動作中、走査検索装置からの信号を変換し、上述した文書に関する全ての動作を行うためにブラウジング／ビューイングソフトウェア2720もまた必要である。ブラウジング／ビューイングソフトウェア2720（“Ｃプログラミング言語”でコード化されていることが好ましいコンピュータプログラム）は、そのデータ入力として、予め変換されたデータファイル2711または既存の形式の文書2701（走査検索プロセス中に迅速に変換される）のいずれかを選ぶ。走査検索装置2740は、コンピュータのスクリーン2721上で必要な動作を行うために必要な信号をバス2741（適切な連動多重化回路を必要とするシリアルバス、ＵＳＢまたはマウスラインが代わりの代表的な手段であるが、たとえば、２５ピン並列ポートリボンケーブル）を通って、ブラウジング／ビューイングソフトウェア2720へのコンピュータ入力ポート2730（２５ピン並列ポートであることが好ましいが、あるいはその代りとしてマウスポート、ＵＳＢポートまたはＲＳ−２３２ポート）に送る。
【０１８０】
上記の走査検索システム2700（図４４）は、関連する文書中の題材の再組織化を可能にする任意のソフトウェア方法と共同して使用されてブラウジング／ビューイングを容易にするように構成されている。たとえば、ソフトウェア制御下において、たとえば、カーソル付きマウス（ｍｏｕｓｅ−ｃｕｍ−ｃｕｒｓｏｒ）方法の使用により、比較されるべき文書中の２以上のページまたは文書の部分が全て、現在見られているページに一緒に持ち出されて表示されることができる。これは、たとえば、カーソル付きマウスを使用して、最初にそのマウスボタンをクリックしてそのマウスを通常行われているようにドラッグすることにより現在見られているページの部分を選択するか、あるいはカーソルが現在位置している現在見られているページの１つをダブルクリックすることによりそのページを選択することによって行われてもよい。その後、文書の別の部分に移動した後、カーソルは現在見られているページの１つ上のある地点の上に位置されることができ、選択された題材はマウスボタンを一回クリックすることにより見られるようにされることができる。選択された題材は、それが１つのページ全体である場合、マウスボタンの一回のクリックによりそれが見られるようにされる前にカーソルが置かれていたページを単に覆うだけである。選択された題材が１つのページ全体でない場合、それは、たとえば、カーソルの右側下方に位置され、マウスボタンの一回のクリックによりそれが見られるようにされる前にカーソルが置かれていたページの一部を覆うこととなる。マウスボタンをもう一度クリックすることにより、この一時的に位置された題材は除去され、そのページ上にはじめに見えていたものを見ることが可能になる。この一時的に位置された題材はまた、ユーザが文書の別の部分への移動を付勢した後にそのページが視界から消えた後、それが位置していたページから自動的に消去される。
【０１８１】
上記の走査検索システム2700はまた、関連する文書中のページの題材または注釈の選択された部分の強調を可能にする任意のソフトウェア方法と共に使用されてブラウジング／ビューイング／リーディングを容易にすることができる。
【０１８２】
上記の走査検索システム2700の使用は、文書が見られている期間中にそれらの内容の処理を全く必要とせずにその文書を走査検索し、あるいは見ることだけでなく、ワード処理システムと共同することにも適している。通常行われているようにコンピュータスクリーン上で文書を生成し、それを処理し、その後通常のスクロールバー付きマウス方法を使用してそれを見て走査検索するために上方および下方にスクロールする代りに、上記の走査検索システム2700に関して説明されたように文書を見て走査検索する方法が使用されることができる。ワード処理を共に使用したとき、たとえば、文書中を移動する図１８に示されているフリップ方法は、ユーザが題材を右側のページに出し終えると、そのページは、題材が入れられるべき新しい空ページを示すためにフリップオーバーする。現在見られているページ上に何も残っていない状態までユーザが題材を削除すると、継続的な削除により前のページにフリップバックが発生する。
【０１８３】
上記の走査検索システム2700は、１つのコンピュータスクリーン内には収まりきらない制御“ボタン”の情報／アイコンを見たり、あるいは操作するために表示される任意のソフトウェアと共に使用されるように構成されている。この場合、マウスの使用と共同するスクローリングが使用されることが多く、あるいはスクリーン上の“ボタン”のアイコンを押すことによりサブメニューおよびサブ操作が選択されることができる。サブメニューおよびサブ操作を選択する場合、サブ操作のボタンを含むサブメニューまたは表示は、それらが選択されると、スクリーン上で明滅させられる。この種の大量の情報／操作がソフトウェア中に存在するとき、走査検索システムを使用することが有益であり、すなわち、このシステムにより、情報／操作に迅速にアクセスできるだけでなく、どの種類の情報／操作が利用可能であるか、それらがどこで見出されることができるか、およびそれらがどのようにして互いに関連付けられているかをよく認識することができるようになる。これらのメニュー／サブメニューおよび操作／サブ操作用ボタンは全て、現在の走査検索システム2700と共に使用されるために、“ブック”に編成されることができ、上述の走査検索システム2700によってそれらへのアクセスが行われることができる。
【０１８４】
現在、最も一般的で便利な形態の人間・コンピュータインターフェースは、“ウィンドウズ（Ｒ）”インターフェースである。このインターフェースは、コンピュータスクリーン上の操作項目がデスクトップ上の操作項目にリンクされている“デスクトップメタファ”から発達したものである。この種のインターフェースは以前の種類のインターフェースに対して大幅に改良を加えられたものであり、非常に使用し易いものであるが、それは依然として、デスクトップ上の項目を操作するという問題の１つを有しており、すなわち、ある人物のデスクトップは非常に繁雑なものとなりがちであり、非常に多くの事柄が存在しているときには、事柄を見出すことが難しい。ウィンドウズ（Ｒ）インターフェースでは、１つのウインドウまたは１つのスクリーン内に収まりきれない多くのサブディレクトリ／ファイルが１つのあるディレクトリ内に存在しているとき、マウスの使用によってスクロールすることによってそれらの位置をつきとめなければならず、この方法を使用する情報の走査検索に関して上述した全ての問題がこれに付随する。また、多くのウインドウが開いているとき、それらは互いに見え難くする傾向があり、現在見えていないものは、机上に散在した紙の山によく似て、それらの位置（“３次元”、すなわち、“スクリーンに対して垂直な方向”での）が決められていないために、発見するのが困難である。
【０１８５】
人間・コンピュータインターフェースは、これらのディレクトリ／サブディレクトリまたは一時的作業ウインドウを上述の走査検索システム2700により操作される“ブック”に編成することによって改良されることができる。コンピュータ上の情報は全て、任意の所定の時間における１つの大きいブックまたは２以上のブックに、したがって“ライブラリメタファ”に編成されることができる。少なくとも３つの可能な改善方法が存在する：（ａ）１つのウインドウ／スクリーン中に収まりきれないサブディレクトリおよびファイルアイコンは、それらが上述の走査検索装置／システム2700と共に使用される形態で編成／構成された場合、走査検索されることができる。図４５は、文書中を移動する図１７に示されているフリップ方法と共同するこの１実施形態を示しており、ウインドウ2805内の項目2801はディレクトリ／サブディレクトリまたはファイルであり、図１７に示されているコンピュータブック1000の一例であるコンピュータブック2800のページに配置されている；（ｂ）サブディレクトリ2815（図４７）およびファイル2816は、現在のウインドウベースのシステムでは通常ウインドウ2814の中に見出されるが、その代りに、コンピュータブック2820（図１７に示されているコンピュータブック1000の一例である）中の章、節等に編成されることができ、その１実施形態が図４６に示されている；（ｃ）図４７に示されているように、現在のシステムではウインドウ中に示される、ファイルおよびサブディレクトリの集合体またはソフトウェア（ワードプロセッサのような）内の現在の作業域のいずれかである、作業されている項目が、走査検索システム2700およびそれに付随する利点と共に使用される“スクラップブック”中のページに編成されることができる。図４７は、文書中を移動する図１７に示されているフリップ方法と共同するこの１実施形態を示している。各ウインドウ2825のいずれも１つのページ中にマップし、あるいは多くのウインドウ2825がコンピュータブック2830（図１７に示されているコンピュータブック1000の一例である）中の１つのページ中にマップすることができる。
【０１８６】
図４８は、本発明の走査検索装置によって制御されるコンピュータスクリーン上にコンピュータベースの情報セットを表示する方法を示している。ステップＳ１は、情報セットを保持しているデータファイルのサイズに対応したその情報セットの厚さイメージを表示する。この厚さイメージは、表示スクリーン上に表示される左側部分および右側部分を含んでいる。厚さイメージの左側部分はスクリーンの左側に表示され、現在表示スクリーン上に表示されている情報セット中の所定の地点より前の情報量に比例する。厚さイメージの右側部分はその表示の右側に表示され、現在表示スクリーン上に表示されている情報セット中の所定の地点より後の情報量に比例する。たとえば、現在表示されている地点が文書の終り付近にある場合、表示スクリーンの左側の厚さイメージは右側のものより厚く見える。
【０１８７】
ステップＳ１の後、プロセスはステップＳ２に進み、ここで、全ての既存のフィンガーブックマークが第１のイメージフォーマットで表示される。その後、ステップＳ３において、全ての既存の永久ブックマークが第２のイメージフォーマットで表示される。フィンガーブックマークおよび永久ブックマークの両者は、それらがブックマークした題材の位置に対応した厚さ表示内の位置に表示される。その後、プロセスはステップＳ４に進み、ここで、ユーザは現在見られている題材をブックマークすることを選び、新しいブックマーク（フィンガーブックマークまたは永久ブックマーク）がその表示に追加される。ステップＳ４の後、プロセスはステップＳ５に進み、このステップにおいて、器具（またはユーザの指）によって示されたジャンプ位置に応答して情報セット内の位置へのジャンプが行われる。その位置へのジャンプが行われると、プロセスは終了する。
【０１８８】
図４９は、コンピュータベースの情報セットを走査検索する方法を示している。プロセスはステップＳ１１からスタートし、このステップにおいて、コンピュータ上においてホストされている情報セット中をポインタが前方および後方に移動するようにする移動コマンドが発生される。その後、プロセスはステップＳ１２に進み、ここでは、ステップＳ１１において発生されたコマンドに応答してポインタが移動される。その後、プロセスはステップＳ１３に進み、このステップにおいて、ポインタが情報中を移動する速度が調節される。その後、プロセスはステップＳ１４に進み、ここで、ジャンプコマンドが受取られる。その後、プロセスはステップＳ１５に進み、このステップＳ１５では、受取られたジャンプコマンドに応答してポインタがジャンプ位置に移動される。その後、プロセスはステップＳ１６に進み、ここで、情報セット中のテキストまたはグラフィック情報の所望の部分をマークするブックマークコマンドが受取られる。ユーザはテキストまたはグラフィック情報の所望の部分に基づいてブックマークコマンドを入力する。その後、プロセスはステップＳ１７に進み、このステップにおいて、受取られたブックマークコマンドに対応した情報セット中の所望の部分がマークされ、その後プロセスは終了する。
【０１８９】
図５０は、コンピュータ・インターフェースプロセスのフローチャートである。このプロセスは、ステップＳ２０からスタートし、このステップＳ２０において、コンピュータ上でホストされた情報セットがブックのセットに構成配置される。各ブックは、コンピュータ上でホストされた情報セットからの情報のサブセットを含んでいる。ひとたび構成されると、プロセスはステップＳ２１に進み、このステップにおいてそれぞれのブックは、各ブックに対応した情報のサブセットのそれぞれの部分をラベル付けされる。その後、プロセスはステップＳ２２に進み、このステップにおいて、ユーザ入力に基づいて、ユーザは最初に単一のブックドキュメントイメージとして表示されたブックを見ることによって選択されたブックを選択することができる。このブックドキュメントイメージは、そのブックのそれぞれの部分に対応した個々のページから構成されている。その後、プロセスはステップＳ２３に進み、このステップにおいて、ユーザが個々のページを見て所望のブックを選択することができるようにページを移動させるためのコマンドが、ユーザによって起動されたときに、発生される。その後、プロセスはステップＳ２４に進み、このステップにおいて、そのブックのページは、それがスクリーン上でフリップされている動画化されたイメージで表示される。その後、プロセスはステップＳ２５に進み、ここにおいて、この動画化されたイメージを見ながら、ユーザはそのページの１つをユーザ入力によって選択することができる。ページの１つを選択することにより、ユーザは所望のブックの選択をする。その後、プロセスはステップＳ２６に進み、このステップにおいて、選択されたブックはブックドキュメントのイメージとして表示される。しかしながら、選択されたブックドキュメントのページは、その選択されたブックに対応した情報のサブセットのそれぞれの部分を含んでいる。その後、プロセスはステップＳ２７に進み、このステップで、選択されたブックのページのサブセット中をポインタに移動させるための移動コマンドが発生される。その後、プロセスはステップＳ２８に進み、このステップにおいて、選択されたブック中のページの動画化されたイメージが表示され、それはスクリーン上でフリップされているものとして示される。その後、プロセスはステップＳ２９に進み、このステップにおいて、選択されたブックの選択されたブックページがユーザによりユーザ入力表示を介して選択される。ユーザが所望のブックページを選択してしまうと、このプロセスは終了する。
【０１９０】
以上、本発明の特定の実施形態を例示し、説明してきたが、多数の変更および修正が当業者によって見出され、添付された請求の範囲は、本発明の技術的範囲内のものであるこれらの変更および修正をカバーするものであることが認識されるであろう。とくに、この明細書では多数の電気機械的実施形態が制御装置に関して説明されている。ここにおける教示を考慮すると、電気信号は、ユーザが与える圧力に応答して電気信号および触覚フィードバックを制御装置に供給する別の装置により発生されることが可能であることが認識されるべきである。したがって、制御装置は、触覚フィードバックを提供するばね部材を含む必要はなく、圧電材料が埋めこまれたゴムのような弾性固体部材のような、あるいは電磁部材のような能動装置のような能動電気機械的フィードバックメカニズムのような別の物体を含んでもよく、もしくは気体インフレイタブルバッカーも同様に使用されることができる。
【０１９１】
一例として、上記の説明はラップトップまたはデスクトップコンピュータのモニタ上に電子ブックを表示することに関連して与えられている。しかしながら、その制御装置およびインターフェース制御方法は、視覚的に表示される別のプロセッサベースの装置に対して同様に適用されることができる。パームトップコンピュータ、パーソナルデジタルアシスタントおよび移動電話の表示装置は全て、この明細書に記載されているメカニズムおよび方法をホストするために同様に適用されることのできる装置である。さらに、本発明は、電子ブックがテレビジョン（たとえば、デジタルＨＤＴＶ）の全体または一部分上に表示されることに関して適用されることができる。たとえば、ＨＤＴＶスクリーンの全体または一部分のいずれも電子ブックの表示専用にされることができ、ここに記載されている制御装置の実施形態は、ＨＤＴＶビデオプロセッサへの無線（ＩＲまたはＲＦ）リンクによってそのテレビジョンとインターフェースすることが可能である。その代り、有線インターフェースが上述のように同様に使用されることができる。同様に、ＨＤＴＶ表示は、二人の人物が同じＨＤＴＶを異なった目的に対して使用できるように分割される。すなわち：一方の人物はテレビジョンを見ることができ、他方の人物が電子ブックを読むことができるように半分（またはその他の分数）に分割される。この実施形態では、この明細書こ示されている制御装置はＨＤＴＶ動作を制御するために使用される別々のセットのボタンを備えている。
【０１９２】
上記の説明を考慮すると、本発明の多くの修正および変形が可能であることは明らかである。したがって、本発明は、添付された請求の範囲の技術的範囲内であれば、とくにこの明細書に記載されている以外の方法で実施されることが可能であることが認識されるであろう。
【０１９３】
表１．基本的および複雑なフリップアクション
【表１】
2005502963.tif 000003
【表２】
2005502963.tif 000004
【図面の簡単な説明】
【０１９４】
【図１】入力コマンドおよび出力信号を詳細に示している本発明による走査検索装置のブロック図。
【図２】走査検索装置の第１の実施形態の概略斜視図。
【図３】走査検索装置の第１の実施形態の概略斜視図。
【図４】コンピュータと共に使用される左手および右手部品から構成された走査検索装置の上方斜視図。
【図５】コンピュータと共に使用される左手および右手部品から構成された走査検索装置の下方斜視図。
【図６】本発明の走査検索装置を使用することにより走査検索されるスクリーン上に表示されたコンピュータブックの上方斜視図。
【図７】コンピュータブックにおいて種々のページフリップコマンドを生成するいくつかの基本的機械的方法で使用される機械的センサ表面の上方斜視図。
【図８】コンピュータブックにおいて種々のページフリップコマンドを生成するいくつかの基本的機械的方法で使用される機械的センサ表面の上方斜視図。
【図９】コンピュータブックにおいて種々のページフリップコマンドを生成するいくつかの基本的機械的方法で使用される機械的センサ表面の上方斜視図。
【図１０】コンピュータブックにおいて種々のページフリップコマンドを生成するいくつかの基本的機械的方法で使用される機械的センサ表面の上方斜視図。
【図１１】機械的二重抵抗領域方法を使用してページフリップコマンドを発生する機械的センサ表面の上方斜視図。
【図１２】走査検索信号の発生のために２つの並進軸に沿った移動を使用する機械的走査検索装置の１実施形態の正面斜視図。
【図１３】円筒形ローラをその機械的センサ表面に対して使用すると共に走査検索信号の発生のために１つの並進運動および１つの回転運動を使用する機械的走査検索装置の１実施形態の正面斜視図。
【図１４】ロッキング運動をその機械的センサ表面に対して使用すると共に走査検索信号の発生のために１つの並進運動および１つの回転運動を使用する機械的走査検索装置の１実施形態の正面斜視図。
【図１５】プラットホームをその機械的センサ表面に対して使用すると共に走査検索信号の発生のために１つの並進運動および１つの回転運動を使用する機械的走査検索装置の１実施形態の正面斜視図。
【図１６】走査検索信号の発生のために二重抵抗方法を使用する機械的走査検索装置の１実施形態の側面図。
【図１７】本発明によるフリッププロセスを示すコンピュータブックの上方斜視図。
【図１８】選択されたページにジャンプするプロセスを示す少数のコンピュータブックの上方斜視図。
【図１９】いくつかの複雑なフリッププロセスの始めにおけるプロセスを示すコンピュータブックの上方斜視図。
【図２０】全てのフリッピングページの方向の変更を示すコンピュータブックの上方斜視図。
【図２１】追従ページの方向の変更を示すコンピュータブックの上方斜視図。
【図２２】追従ページのグループの方向の変更およびフリッピングページ中の領域のオープンアップを示すコンピュータブックの上方斜視図。
【図２３】フリッピングページの右側のサブグループにおける追従ページの方向の変更を示すコンピュータブックの上方斜視図。
【図２４】フリッピングページの右側のサブグループにおける多数の追従ページの方向の変更を示すコンピュータブックの上方斜視図。
【図２５】フリッピングページの左側のサブグループにおける多数の追従ページの方向の変更を示すコンピュータブックの上方斜視図。
【図２６】コンピュータブックのフリップの最中におけるページのフリップアクションのフリージングを示すコンピュータブックの上方斜視図。
【図２７】フリッピングページの収集およびそれに後続する一連の単一ページのフリッピングを示すコンピュータブックの上方斜視図。
【図２８】２以上のフリッピングページの集合体および多くの単一のフリッピングページを示すコンピュータブックの上方斜視図。
【図２９】右側のページがピックアップされている状態およびピックアップされたページが保持され、フリップされている状態を示すコンピュータブックの上方斜視図。
【図３０】別のページがコンピュータブックの左側および右側のそれらの各静止ポジションに戻りながら、ピックアップされたページが保持されている状態を示すコンピュータブックの上方斜視図。
【図３１】収集されたページが保持され、フリップされている状態を示すコンピュータブックの上方斜視図。
【図３２】多数の単一ページおよび収集されたページが保持され、フリップされている状態を示すコンピュータブックの上方斜視図。
【図３３】多数の別のフリッピングページが単一ページ上に収集される最中に、その単一ページが保持されている状態およびその単一ページを保持し、その単一ページ上に多数のフリッピングページを収集した結果を示す状態を示すコンピュータブックの上方斜視図。
【図３４Ａ】ページが解放された結果を示す状態を示すコンピュータブックの上方斜視図。
【図３４Ｂ】ページが分割された結果を示す状態を示すコンピュータブックの上方斜視図。
【図３５】多数のページ間でフリップおよび走査検索アクションが行われている最中に、収集されたページが保持され、コンピュータブックの右側の厚さと共にサブブックを形成している状態を示すコンピュータブックの上方斜視図。
【図３６】２つの収集されたページの間の多数のページに関してフリップおよび走査検索アクションが行われているあいだに、これら２つの収集されたページが保持され、それらの間にサブブックを形成している状態を示すコンピュータブックの上方斜視図。
【図３７】いくつかの基本的なフリップアクションを行うためのタッチスクリーンによるコンピュータブック上の特定の領域の使用を示すコンピュータブックの上方斜視図。
【図３８】いくつかの複雑なフリップアクションを行うためのタッチスクリーンによるコンピュータブック上の特定の領域の使用を示すコンピュータブックの上方斜視図。
【図３９】フリッピングページ上のいくつかの領域のオープンアップアクションを行うためのタッチスクリーンによるコンピュータブック上の特定の領域の使用を示すコンピュータブックの上方斜視図。
【図４０】ページの両面が見られることができるまでそれらページをカールすることを伴なうフリッピングページの表示方法を示すコンピュータブックの上方斜視図。
【図４１】微細ジャンプ制御のためのメカニズムを示すコンピュータブックの一部の上方斜視図。
【図４２】必要とされるスクリーンスペースを減少するためにコンピュータブックの一方の側が内側に曲げられた状態を示すコンピュータブックの上方斜視図。
【図４３】必要とされるスクリーンスペースを減少するためにコンピュータブックの一方の側が外側に曲げられた状態を示すコンピュータブックの上方斜視図。
【図４４】図２および３の本発明の走査検索装置を含む走査検索システムの概略ブロック図。
【図４５】コンピュータブックの中を移動するために図１７のフリップ方法を使用するコンピュータブックのページと比較された“ウインドウ”中のディレクトリ／サブディレクトリの概略比較図。
【図４６】コンピュータブックの中を移動するために図１７のフリップ方法を使用するコンピュータブックの中の章および節と比較された“ウインドウ”システム中のディレクトリ／サブディレクトリおよびファイルの概略比較図。
【図４７】コンピュータブックの中を移動するために図１７のフリップ方法を使用するコンピュータブックのページと比較された“ウインドウ”システム中の作業ウインドウの概略比較図。
【図４８】走査検索装置により制御される表示スクリーン上における情報セットの表示方法のフローチャート。
【図４９】表示スクリーン上における情報セットの走査検索方法のフローチャート。
【図５０】本発明のライブラリメタファー特徴によるユーザインターフェース方法のフローチャート。
【図１】
2005502963.tif 000005
【図２】
2005502963.tif 000006
【図３】
2005502963.tif 000007
【図４】
2005502963.tif 000008
【図５】
2005502963.tif 000009
【図６】
2005502963.tif 000010
【図７】
2005502963.tif 000011
【図８】
2005502963.tif 000012
【図９】
2005502963.tif 000013
【図１０】
2005502963.tif 000014
【図１１】
2005502963.tif 000015
【図１２】
2005502963.tif 000016
【図１３】
2005502963.tif 000017
【図１４】
2005502963.tif 000018
【図１５】
2005502963.tif 000019
【図１６】
2005502963.tif 000020
【図１７】
2005502963.tif 000021
【図１８】
2005502963.tif 000022
【図１９】
2005502963.tif 000023
【図２０】
2005502963.tif 000024
【図２１】
2005502963.tif 000025
【図２２】
2005502963.tif 000026
【図２３】
2005502963.tif 000027
【図２４】
2005502963.tif 000028
【図２５】
2005502963.tif 000029
【図２６】
2005502963.tif 000030
【図２７】
2005502963.tif 000031
【図２８】
2005502963.tif 000032
【図２９】
2005502963.tif 000033
【図３０】
2005502963.tif 000034
【図３１】
2005502963.tif 000035
【図３２】
2005502963.tif 000036
【図３３】
2005502963.tif 000037
【図３４Ａ】
2005502963.tif 000038
【図３４Ｂ】
2005502963.tif 000039
【図３５】
2005502963.tif 000040
【図３６】
2005502963.tif 000041
【図３７】
2005502963.tif 000042
【図３８】
2005502963.tif 000043
【図３９】
2005502963.tif 000044
【図４０】
2005502963.tif 000045
【図４１】
2005502963.tif 000046
【図４２】
2005502963.tif 000047
【図４３】
2005502963.tif 000048
【図４４】
2005502963.tif 000049
【図４５】
2005502963.tif 000050
【図４６】
2005502963.tif 000051
【図４７】
2005502963.tif 000052
【図４８】
2005502963.tif 000053
【図４９】
2005502963.tif 000054
【図５０】
2005502963.tif 000055
【国際公開パンフレット】
2005502963.tif 000056
2005502963.tif 000057
2005502963.tif 000058
2005502963.tif 000059
2005502963.tif 000060
2005502963.tif 000061
2005502963.tif 000062
2005502963.tif 000063
2005502963.tif 000064
2005502963.tif 000065
2005502963.tif 000066
2005502963.tif 000067
2005502963.tif 000068
2005502963.tif 000069
2005502963.tif 000070
2005502963.tif 000071
2005502963.tif 000072
2005502963.tif 000073
2005502963.tif 000074
2005502963.tif 000075
2005502963.tif 000076
2005502963.tif 000077
2005502963.tif 000078
2005502963.tif 000079
2005502963.tif 000080
2005502963.tif 000081
2005502963.tif 000082
2005502963.tif 000083
2005502963.tif 000084
2005502963.tif 000085
2005502963.tif 000086
2005502963.tif 000087
2005502963.tif 000088
2005502963.tif 000089
2005502963.tif 000090
2005502963.tif 000091
2005502963.tif 000092
2005502963.tif 000093
2005502963.tif 000094
2005502963.tif 000095
2005502963.tif 000096
2005502963.tif 000097
2005502963.tif 000098
2005502963.tif 000099
2005502963.tif 000100
2005502963.tif 000101
2005502963.tif 000102
2005502963.tif 000103
2005502963.tif 000104
2005502963.tif 000105
2005502963.tif 000106
2005502963.tif 000107
2005502963.tif 000108
2005502963.tif 000109
2005502963.tif 000110
2005502963.tif 000111
2005502963.tif 000112
2005502963.tif 000113
2005502963.tif 000114
2005502963.tif 000115
2005502963.tif 000116
2005502963.tif 000117
2005502963.tif 000118
2005502963.tif 000119
2005502963.tif 000120
2005502963.tif 000121
2005502963.tif 000122
2005502963.tif 000123
2005502963.tif 000124
2005502963.tif 000125
2005502963.tif 000126
2005502963.tif 000127
2005502963.tif 000128
2005502963.tif 000129
2005502963.tif 000130
2005502963.tif 000131
2005502963.tif 000132
2005502963.tif 000133
2005502963.tif 000134
2005502963.tif 000135
2005502963.tif 000136
2005502963.tif 000137
2005502963.tif 000138
2005502963.tif 000139
2005502963.tif 000140
2005502963.tif 000141
2005502963.tif 000142
2005502963.tif 000143
2005502963.tif 000144
2005502963.tif 000145
2005502963.tif 000146
2005502963.tif 000147
2005502963.tif 000148
2005502963.tif 000149
2005502963.tif 000150
2005502963.tif 000151
2005502963.tif 000152
2005502963.tif 000153
2005502963.tif 000154
2005502963.tif 000155
2005502963.tif 000156
2005502963.tif 000157
2005502963.tif 000158
2005502963.tif 000159
2005502963.tif 000160
2005502963.tif 000161
2005502963.tif 000162
2005502963.tif 000163
2005502963.tif 000164
2005502963.tif 000165
【国際公開パンフレット（コレクトバージョン）】
2005502963.tif 000166
【国際調査報告】
2005502963.tif 000167
2005502963.tif 000168